(57)【要約】【課題】  それぞれが表示部を備えた複数の筐体同士の相対的な配置を変更できる表示装置の使いやすさを向上させる。【解決手段】  表示画像を表示する表示部と、それぞれが表示部を備えた複数の筐体と、当該複数の筐体同士を連結する連結手段を有し、当該複数の筐体同士の相対的な配置が変更可能な表示装置であって、表示画像の大きさに関する情報に基づいて、複数の筐体の相対的な配置を決定する決定手段と、決定手段によって決定された複数の筐体の相対的な配置に関する情報の報知を行う報知手段と、を有することを特徴とする構成とした。【選択図】  図１３
2016194606.tif 000002
【特許請求の範囲】
【請求項１】
表示画像を表示する表示部と、それぞれが前記表示部を備えた複数の筐体と、当該複数の筐体同士を連結する連結手段を有し、当該複数の筐体同士の相対的な配置が変更可能な表示装置であって、
前記表示画像の大きさに関する情報に基づいて、前記複数の筐体の相対的な配置を決定する決定手段と、
前記決定手段によって決定された前記複数の筐体の相対的な配置に関する情報の報知を行う報知手段と、を有することを特徴とする表示装置。
【請求項２】
前記表示画像の大きさを判定する画像判定手段を有し、
前記決定手段は、前記画像判定手段で判定された前記表示画像の大きさに関する情報に基づいて、前記複数の筐体の相対的な配置を決定することを特徴とする請求項１に記載の表示装置。
【請求項３】
前記画像判定手段は、前記表示画像の略直交する２つ辺の長さの比率を判定することを特徴とする請求項２に記載の表示装置。
【請求項４】
前記画像判定手段は、前記表示部に表示させている前記表示画像の大きさに基づいて、前記複数の筐体の相対的な配置を決定することを特徴とする請求項２又は３に記載の表示装置。
【請求項５】
前記画像判定手段は、前記表示部に表示させる前記表示画像の大きさに基づいて、前記複数の筐体の相対的な配置を決定することを特徴とする請求項２又は３に記載の表示装置。
【請求項６】
前記表示装置の状態を検出する状態検出手段を有し、
前記報知手段は、前記状態検出手段によって検出された前記表示装置の状態に対応する前記複数の筐体同士の相対的な配置が、前記決定手段によって決定された前記複数の筐体の相対的な配置と同一である場合に、前記複数の筐体の相対的な配置に関する報知を行わないことを特徴する請求項１乃至５の何れか一項に記載の表示装置。
【請求項７】
前記報知手段は、前記複数の筐体の相対的な配置に関する情報が報知されている状態で前記複数の筐体の相対的な配置が変更されたことに応じて、前記複数の筐体の相対的な配置に関する報知の内容を変更することを特徴とする請求項６に記載の表示装置。
【請求項８】
前記報知手段は、前記複数の筐体の相対的な配置に関する情報の報知を開始してから所定の時間が経過したことに応じて、当該複数の筐体の相対的な配置に関する情報の報知を停止することを特徴とする請求項１乃至７の何れか一項に記載の表示装置。
【請求項９】
前記決定手段は、前記複数の筐体の各表示部が同一の方向を向いた状態であって、当該複数の表示部に単一の画像を分割して表示させる場合に、前記表示画像の大きさに関する情報に基づいて、当該複数の表示部を合わせた表示領域に前記表示画像を最も大きく表示できる前記複数の筐体の相対的な配置を決定することを特徴とする請求項１乃至８の何れか一項に記載の表示装置。
【請求項１０】
前記表示装置の姿勢を検出する姿勢検出手段を有し、
前記決定手段は、前記表示画像の大きさに関する情報と前記姿勢検出手段によって検出された前記表示装置の姿勢に関する情報に基づいて、前記複数の筐体の相対的な配置を決定することを特徴とする請求項１乃至８の何れか一項に記載の表示装置。
【請求項１１】
前記表示装置は、撮像手段を有し、
前記決定手段は、前記撮像手段により周期的に連続して被写体を撮像することによって取得した前記表示画像を前記表示部に逐次表示する場合に、前記姿勢検出手段によって検出された前記表示装置の姿勢に関する情報に基づいて前記複数の筐体の相対的な配置を決定することを特徴とする請求項１０に記載の表示装置。
【請求項１２】
前記報知手段は、前記表示画像の変更に応じて、前記複数の筐体の相対的な配置に関する情報の報知の内容を異ならせることを特徴とする請求項１乃至１１の何れか一項に記載の表示装置。
【請求項１３】
前記報知手段は、前記決定手段によって決定された前記複数の筐体の配置に関する報知画像を前記表示部に表示させることで、前記複数の筐体の相対的な配置に関する情報を報知することを特徴とする請求項１乃至１２の何れか一項に記載の表示装置。
【請求項１４】
前記報知手段は、前記決定手段によって決定された前記複数の筐体の配置に関する音声案内を行うことで、前記複数の筐体の相対的な配置に関する情報を報知することを特徴とする請求項１乃至１３の何れか一項に記載の表示装置。
【請求項１５】
前記表示装置は、第１の表示部を備えた面が第１の辺と当該第１の辺と直交する第２の辺によって形成される第１の筐体と、前記第１の表示部とは異なる第２の表示部を備えた面が第３の辺と当該第３の辺と直交する第４の辺によって形成される第２の筐体とを含み、前記第１の筐体の前記第２の辺と前記第２の筐体の前記第４の辺とが互いに隣接する第１の状態と、前記第１の筐体の前記第１の辺と前記第２の筐体の前記第３の辺とが互いに隣接する第２の状態とに変更可能であることを特徴とする請求項１乃至１４の何れか一項に記載の表示装置。
【請求項１６】
前記第１の筐体と前記第２の筐体を、前記第１の筐体と前記第２の筐体との相対的な配置を変更可能に連結する連結手段を有することを特徴とする請求項１５に記載の表示装置。
【発明の詳細な説明】
【技術分野】
【０００１】
本発明は、表示部を備えた筐体同士の相対的な配置を変更できる表示装置に関する。
【背景技術】
【０００２】
従来、それぞれが表示部を備えた筐体同士を連結し、当該筐体同士の相対的な配置を変更できる表示装置が知られている。特許文献１では、それぞれが表示領域を備えた複数のパネルの配列を、複数の状態（図１、図４〜８など）に変更できる画像表示装置について提案されている。
【先行技術文献】
【特許文献】
【０００３】
【特許文献１】特開２０１３−２５６１７号公報
【発明の概要】
【発明が解決しようとする課題】
【０００４】
ここで、複数の筐体同士の相対的な配置を変更できる場合、表示させる画像の大きさや、画像を表示させる際の状況などの種々の条件に応じて、ユーザが複数の筐体同士の相対的な配置を変更することが考えられる。したがって、複数の筐体同士の相対的な配置を変更できる表示装置の使いやすさを向上させることが望ましい。
【０００５】
本発明の目的は、それぞれが表示部を備えた複数の筐体同士の相対的な配置を変更できる表示装置の使いやすさを向上させることである。
【課題を解決するための手段】
【０００６】
上記目的を達成するために本発明の表示装置は、表示画像を表示する表示部と、それぞれが前記表示部を備えた複数の筐体と、当該複数の筐体同士を連結する連結手段を有し、当該複数の筐体同士の相対的な配置が変更可能な表示装置であって、前記表示画像の大きさに関する情報に基づいて、前記複数の筐体の相対的な配置を決定する決定手段と、前記決定手段によって決定された前記複数の筐体の相対的な配置に関する情報の報知を行う報知手段と、を有することを特徴とする。
【発明の効果】
【０００７】
本発明によれば、それぞれが表示部を備えた複数の筐体同士の相対的な配置を変更できる表示装置の使いやすさを向上させることができる。
【図面の簡単な説明】
【０００８】
【図１】本発明を実施する表示装置の実施形態である表示装置１００の構成を説明する三面図である。
【図２】本発明を実施する表示装置の実施形態である表示装置１００の内部構成を説明するブロック図である。
【図３】本発明を実施する表示装置の実施形態である表示装置１００を構成する第１のパネル１０１の四面図である。
【図４】本発明の実施形態に係る第１のパネル１０１および第２のパネル１０２の各溝部の拡大断面を例示的に説明した拡大断面図である。
【図５】本発明を実施する表示装置の実施形態である表示装置１００の展開状態および折り畳み状態を例示的に説明する図である。
【図６】本発明を実施した表示装置の実施形態である表示装置１００の状態を横展開状態から収納状態Ａに変更する（折り畳む）場合を例示的に説明する図である。
【図７】本発明を実施した表示装置の実施形態である表示装置１００の状態を横展開状態から両面状態に変更する（折り畳む）場合を例示的に説明する図である。
【図８】本発明を実施した表示装置の実施形態である表示装置１００の状態を縦展開状態から両面状態へと変更する（折り畳む）場合を例示的に説明する図である。
【図９】本発明の実施形態に係るデジタルカメラ１を説明する図である。
【図１０】本発明の実施形態に係るカメラ本体１０の内部構成について説明するブロック図である。
【図１１】本発明の実施形態に係るデジタルカメラ１の状態と表示装置１００の各電気接点同士の位置関係を説明する図である。
【図１２】本発明の実施形態に係るデジタルカメラ１の状態と各電気接点同士の導通状態を説明する図である。
【図１３】本発明の実施形態に係るデジタルカメラ１の状態と各電気接点同士の導通状態を説明する図である。
【図１４】本発明の実施形態に係る状態報知処理において、表示装置１００の横展開状態に関する報知画像の表示および音声案内を例示的に説明する図である。
【図１５】本発明の実施形態に係る状態報知処理において、表示装置１００の縦展開状態に関する報知画像の表示および音声案内を例示的に説明する図である。
【図１６】本発明の実施形態に係るデジタルカメラ１の撮影モードにおける状態報知処理について説明するフローチャートである。
【図１７】本発明の実施形態に係るデジタルカメラ１の撮影モードにおける報知状態の決定方法を説明する図である。
【図１８】本発明の変形例に係る表示装置２００を説明する図である。
【発明を実施するための形態】
【０００９】
（実施形態）
以下に、本発明の好ましい実施の形態を、添付の図面に基づいて詳細に説明する。まず、本実施形態に係る表示装置である表示装置１００の構成について図１〜８を参照して説明する。図１は、本発明を実施する表示装置の実施形態である表示装置１００の構成を説明する三面図であって、表示装置１００の正面図、下側面図（底面図）、背面図を示している。本実施形態の表示装置１００は、平板状の直方体である第１のパネル（第１の筐体）１０１と第２のパネル（第２の筐体）１０２によって構成されている。
【００１０】
第１のパネル１０１は第１の表示部１０１ａを備え、第２のパネル１０２は第２の表示部１０２ａを備えている。なお、第１の表示部１０１ａおよび第２の表示部１０２ａのそれぞれは、隣り合う辺の長さが異なる矩形状である。
【００１１】
本実施形態では、それぞれの表示部として、ＴＦＴ型ＬＣＤ（薄膜トランジスタ駆動型液晶表示器）を採用する構成であるが、有機ＥＬ素子（有機エレクトロルミネッセンス素子）などによって形成された表示部を採用するような構成であってもよい。なお、第１の表示部１０１ａは、第１の表示制御回路１１０によって表示内容が制御され、第２の表示部１０２ａは、第２の表示制御回路１２０によって表示内容が制御される構成である。また、後述するデジタルカメラ（以下、単にカメラと称す）１においては、カメラマイコン２からの指示に応じて、第１の表示制御回路１１０と第２の表示制御回路１２０による各表示部の制御が実行される。
【００１２】
図１に図示するように、第１のパネル１０１は、第１の表示部１０１ａが設けられたＡ面を正面（第１の面）とし、その反対側のＢ面を背面（第３の面）とする。また、第１のパネル１０１は、後述する溝部１０１ｃ１および溝部１０１ｃ２が設けられている面を左側面としその反対側の面を右側面とする。そして、第１のパネル１０１は、後述する溝部１０１ｂ１および溝部１０１ｂ２が設けられている面を下側面とし、その反対側の面を上側面とする。
【００１３】
なお、表示部１０１ａ方向から見た場合の第１のパネル１０１の下側面側の長辺を辺１（第１の辺）とし、第１のパネル１０１の右側面側の短辺を辺２（第２の辺）とする。そして、当該辺１と辺２とは互いに略直交している。
【００１４】
また、第２のパネル１０２は、第２の表示部１０１ａが設けられたＡ面を正面（第２の面）とし、その反対側のＢ面を背面（第４の面）とする。また、第２のパネル１０２は、後述する溝部１０２ｃ１および溝部１０２ｃ２が設けられている面を右側面としその反対側の面を左側面とする。そして、第２のパネル１０２は、後述する溝部１０２ｂ１および溝部１０２ｂ２が設けられている面を下側面とし、その反対側の面を上側面とする。
【００１５】
なお、表示部１０２ａ方向から見た場合の第２のパネル１０２の下側面側の長辺を辺３（第３の辺）とし、第２のパネル１０２の左側面側の短辺を辺４（第４の辺）とする。そして、当該辺３と辺４とは互いに略直交している。
【００１６】
表示装置１００は、第１のパネル１０１と第２のパネル１０２の相対的な配置を変更することで複数の状態に変更することができる表示装置であって、第１の表示部１０１ａと第２の表示部１０２ａとが同一の方向を向いている状態を展開状態とする。すなわち、第１のパネル１０１と第２のパネル１０２のＡ面同士（Ｂ面同士）が同一の方向を向いている状態を、表示装置１００の展開状態とする。
【００１７】
上述した表示装置１００の展開状態のうち、第１のパネル１０１の左側面と第２のパネル１０２の右側面とが接した展開状態を横展開状態（第１の状態）とする。また、表示装置１００の展開状態のうち、第１のパネル１０１の下側面と第２のパネル１０２の上側面とが接した展開状態を縦展開状態（第２の状態）とする。
【００１８】
すなわち、表示装置１００の横展開状態において、第１のパネル１０１の辺２と第２のパネル１０２の辺４とが互いに隣接する。また、表示装置１００の縦展開状態において、第１のパネル１０１の辺１と第２のパネル１０２の辺３とが互いに隣接する。
【００１９】
なお、本実施形態の表示装置１００では、第１のパネル１０１の辺１の延長線上に第２のパネル１０２の辺３が位置する状態が、表示装置１００の横展開状態である。また、第１のパネル１０１の辺２との延長線上に第２のパネル１０２の辺４が位置する状態が、表示装置１００の縦展開状態である。
【００２０】
また、表示装置１００は、第１のパネル１０１と第２のパネル１０２のＡ面同士が向かい合い、Ｂ面同士がそれぞれ異なる方向を向く状態を収納状態とする。すなわち、第１のパネル１０１の第１の表示部１０１ａと第２のパネル１０２の第２の表示部１０２ａとが互いに向かい合う状態を、表示装置１００の収納状態とする。
【００２１】
この収納状態としては、収納状態Ａおよび収納状態Ｂの２つの状態にすることができる。上述した、収納状態ＡとＢとは、第１のパネル１０１と第２のパネル１０２上において、後述する各ワイヤーが導かれる溝部がそれぞれ異なる。この詳細については後述する。
【００２２】
また、表示装置１００は、第１のパネル１０１と第２のパネル１０２のＢ面同士が向かい合い、Ａ面同士がそれぞれ異なる方向を向く状態を両面状態とする。すなわち、第１のパネル１０１の第１の表示部１０１ａと第２のパネル１０２の第２の表示部１０２ａとが露出し、それぞれが異なる方向を向く状態を、表示装置１００の両面状態とする。
【００２３】
以上説明した、表示装置１００の展開状態から収納状態、または表示装置１００の展開状態から両面状態へと移行するまでの表示装置１００の状態を移行状態とする。
【００２４】
なお、表示装置１００の収納状態および両面状態では、各表示部の表示面と直交する方向から表示装置１００を見て、第１のパネル１０１の辺１と第２のパネル１０２の辺３同士が互いに重畳（略一致）する。また、表示装置１００の収納状態および両面状態では、各表示部の表示面と直交する方向から表示装置１００を見て、第１のパネル１０１の辺２と第２のパネル１０２の辺４同士が互いに重畳（略一致）する。
【００２５】
次に、図２を参照して表示装置１００の内部構成について説明する。図２は、本発明を実施する表示装置の実施形態である表示装置１００の内部構成を説明するブロック図である。第１のパネル１０１は、第１の表示制御回路１１０、第１の電源部１１１、第１の通信部１１２、第１の表示状態検出部２１、そして、第１の表示部１０１ａを備えている。また、第２のパネル１０２は、第２の表示制御回路１２０、第２の電源部１２１、第２の通信部１２２、第２の表示状態検出部２２、そして、第２の表示部１０２ａを備えている。
【００２６】
第１の表示制御回路１１０は、第１の表示部１０１ａに表示用の画像（表示画像）を表示させるように制御できる表示制御手段である。また、第２の表示制御回路１２０は、第２の表示部１０２ａに表示画像を表示させるように制御できる表示制御手段である。
【００２７】
なお、本実施形態における表示画像とは、表示装置１００に表示させる、あるいは、表示装置１００で表示中の画像である。例えば、単一の画像を分割して表示装置２００に表示させる場合、分割前の元画像および分割後の画像の双方が表示画像となる。
【００２８】
第１の電源部１１１は、第１のパネル１０１の内部に電力を供給する電力供給手段である。また、第２の電源部１２１は、第２のパネル１０２の内部に電力を供給する電力供給手段である。表示装置１００の不図示の電源がオンされると、第１の電源部１１１から第１の表示制御回路を介して、第１のパネル１０１内の各部に電力が供給される。同様に、第２の電源部１２１から第２の表示制御回路を介して、第２のパネル１０２内の各部に電力が供給される。
【００２９】
第１の通信部１１２および第２の通信部１２２は、第１の表示制御回路１１０および第２の表示制御回路１２０からの指示に応じて、第１のパネル１０１と第２のパネル１０２との間で種々のデータを送受信するための通信手段である。
【００３０】
本実施形態において、第１の通信部１１２および第２の通信部１２２は、各表示部に表示させる表示画像に関する情報（表示信号）を無線通信によって送受信する構成である。したがって、上述した表示信号を第１のパネル１０１および第２のパネル１０２との間で送受信することによって、第１の表示部１０１ａと第２の表示部１０２ａとで、それぞれ異なる画像や単一の画像を分割した画像を表示させることができる。
【００３１】
また、第１の通信部及び第２の通信部は、後述するカメラ１を構成するカメラ本体１０に設けられたカメラ通信部７と通信可能である。そして、表示装置１００の動作に関する統括的な制御は、カメラ１に設けられたカメラマイコン２によって指示される。この詳細については後述する。
【００３２】
表示状態検出部（第１の表示状態検出部）２１は、電気接点２１ａ、２１ｂ、２１ｃによって構成された検出手段である。電気接点２１ａは、第１のパネル１０１のＡ面の表示部１０１ａと重畳しない位置（Ａ面の縁部）に設けられている。また、電気接点２１ｂは、第１のパネル１０１の上面の内部に設けられている。また、電気接点２１ｃは、第１のパネル１０１の左側面の内部に設けられている。
【００３３】
表示状態検出部（第２の状態検出部）２２は、電気接点２２ｂ、２２ｃによって構成された検出手段である。電気接点２２ｂは、第２のパネル１０２の上面の内部に設けられている。また、電気接点２２ｃは、第２のパネル１０２の右側面の内部に設けられている。
【００３４】
なお、上述した各電気接点が設けられている位置の詳細は、後述するカメラ状態検出部２０および電気接点２０ａと合せて後述する。また、図３、図５〜８においては説明を簡略化するために各電気接点を不図示とする。
【００３５】
本実施形態では、電気接点２１ｂと電気接点２２ｂとの導通状態、および電気接点２１ｃと電気接点２２ｃとの導通状態を検出することによって、表示装置１００の状態を検出することができる。具体的に、電気接点２１ｂと電気接点２２ｂとの導通状態が検出された場合は、表示装置１００の状態が横展開状態であると判定（検出）される。また、電気接点２１ｃと電気接点２２ｃとの導通状態が検出された場合は、表示装置１００の状態が縦展開状態であると判定（検出）される。
【００３６】
表示状態検出部２１および表示状態検出部２２の検出結果（出力信号）は、表示装置１００の第１の通信部１１２または第２の通信部１２２およびカメラ１のカメラ通信部７を介して、表示装置１００からカメラ１側へと送信される。
【００３７】
なお、本実施形態では、後述するカメラ本体１０に設けられたカメラマイコン２によって表示装置１００の状態（およびカメラ１の状態）を判定するような構成であるが、表示装置１００側で判定するような構成であってもよい。具体的には、表示状態検出部２１および表示状態検出部２２の検出結果に基づいて、第１の表示制御回路１１０または第２の表示制御回路１２０が、表示装置１００の状態を判定（検出）するような構成であってもよい。特に、表示装置１００が他の電子機器の表示手段として適用されるのではなく、表示装置１００を単体で使用される場合は、上述した構成を採用することが望ましい。
【００３８】
なお、本実施形態の表示装置１００では、上述したように第１のパネル１０１および第２のパネル１０２の双方に表示制御回路等を設けるような構成だが、これに限定されるものではない。例えば、第１のパネル１０１または第２のパネル１０２の何れか一方のみに表示制御回路を設けるような構成であってもよい。この場合、当該一方のパネルに設けられた表示制御回路によって、第１のパネル１０１と第２のパネル１０２の双方を統括的に制御する。
【００３９】
また、本実施形態の表示装置１００は、無線通信によって各パネル間の通信をおこなうような構成であるが、これに限定されるものではない。例えば、第１のパネル１０１と第２のパネル１０２の連結手段である後述する各ワイヤーの内部に通信用のケーブルなどを設け、当該通信用のケーブルを用いて各パネル間での通信をおこなうような構成であってもよい。そして、この場合は、後述するカメラ本体１０と表示装置１００とが、通信用のケーブルによって電気的に接続される。
【００４０】
なお、本実施形態において、表示装置１００（第１の表示部１０１ａおよび第２の表示部１０２ａ）は、第１のパネル１０１と第２のパネル１０２の相対的な配置に関する情報を報知する報知手段である。この詳細については後述する。
【００４１】
次に、図３を参照して第１のパネル１０１を詳細に説明する。なお、第１のパネル１０１の右側面側は、後述するカメラ１と表示装置１００とを連結するヒンジ１４によって接続される構成であるが、表示装置１００の説明を簡略化するために、この詳細については後述する。
【００４２】
図３は、本発明を実施する表示装置の実施形態である表示装置１００を構成する第１のパネル１０１の四面図であって、正面図、左側面図、下側面図（底面図）、背面図を示している。
【００４３】
第１のパネル１０１は、辺１の長さ（横幅）をＷｐ、辺２の長さ（縦幅）をＨｐ、辺１と平行な第１の表示部１０１ａの辺の長さ（横幅）をＷｄ、辺２と平行な表示部１０１ａの長さ（縦幅）をＨｄとすると、以下の式（１）の関係を満たす。
Ｗｐ＞Ｈｐ、Ｗｄ＞Ｈｄ  （１）
【００４４】
すなわち、第１のパネル１０１の長手方向の辺の長さＷｐは第１の表示部１０１ａの短手方向の辺の長さＨｐより大きい。そして、第１のパネル１０１の長手方向の長さＷｄは第１の表示部１０１ａの長手方向の長さＨｄより大きい。また、本実施形態の第１のパネル１０１は以下の式（２）の関係を満たす。
Ｗｐ：Ｈｄ＝３：２      （２）
【００４５】
なお、式（２）に示したように、本実施形態では、第１のパネル１０１のＷｄとＨｄの比であるアスペクト比として、主に写真に多用される比率を採用したが、これに限定されるものではなく、その他の比率を採用するような構成であってもよい。
【００４６】
本実施形態の第１のパネル１０１では、第１のパネル１０１において、第１のパネル１０１の中心と第１の表示部１０１ａの中心とが略一致するように第１の表示部１０１ａを配置する。この状態で、第１のパネル１０１の縁部の幅（第１の表示部１０１ａの縁から第１のパネル１０１の縁までの距離）が、第１の表示部１０１ａの長手方向の長さＷｄと短手方向の長さＨｄと比較して１０分１以下の大きさとなる。この構成によって、第１のパネル１０１が第２のパネル１０２と連結された際に、第１の表示部１０１ａと第２の表示部１０２ａとの間の距離を比較的小さくすることができる。したがって、本実施形態の表示装置１００は、単一の画像を第１の表示部１０１ａと第２の表示部１０２ａとに分割して表示させる場合であっても、当該単一の画像を閲覧するユーザに与える違和感を抑制することができる。
【００４７】
なお、ユーザが、表示装置１００を用いて画像を閲覧する際の違和感を抑制するためには、第１のパネル１０１の縁部の幅はできるだけ小さくすることが望ましい。そこで、第１の表示部１０１ａを、第１のパネル１０１の中心から後述する溝部１０１ｃ１、１０１ｃ２および１０１ｄ１、１０１ｄ２方向にシフトさせて配置するような構成であってもよい。この構成であれば、展開状態の表示装置１００において、第１の表示部１０１ａと第２の表示部１０２ａと近づけることができるため、画像を閲覧する際にユーザに与える違和感を抑制することができる。
【００４８】
図３に図示するように、第１のパネル１０１には、正面（Ａ面）から下側面（辺１側の側面）を通過して背面（Ｂ面）まで延出した直線形状の溝部が設けられている。当該溝部のうち、第１のパネル１０１の下側面に設けられている溝部が溝部１０１ｂ１および溝部１０１ｂ２である。また、第１のパネル１０１のＢ面に設けられている溝部が溝部１０１ｄ１、溝部１０１ｄ２である。さらに、第１のパネル１０１の左側面に設けられている溝部が溝部１０１ｃ１、溝部１０１ｃ２である。
【００４９】
図３に図示するように、本実施形態の第１のパネル１０１は、辺１において、溝部１０１ｄ１の下側面側の端部と溝部１０１ｂ１の下側面側の端部の位置が一致する。また、第１のパネル１０１は、辺２において、溝部１０１ｄ１の左側面側の端部と溝部１０１ｃ１の左側面側の端部の位置とが一致する。すなわち、第１のパネル１０１には、溝部１０１ｂ１と溝部１０１ｄ１と溝部１０１ｃ１とによって、連続した一連の溝部が形成されている。
【００５０】
同様に、第１のパネル１０１は、辺１において、溝部１０１ｄ２の下側面側の端部と溝部１０１ｂ２の下側面側の端部の位置が一致し、辺２において、溝部１０１ｄ２の左側面側の端部と溝部１０１ｄ２の左側面側の端部の位置が一致する。すなわち、第１のパネル１０１には、溝部１０１ｂ２と溝部１０１ｄ２と溝部１０１ｃ２とによって、連続した一連の溝部が形成されている。
【００５１】
ここで、第１のパネル１０１において、辺１に該当し、Ａ面と下側面とが略直交することで形成された角部を角部１０１ｇ１、１０１ｇ２とする。また、第１のパネル１０１において、辺１に該当し、下側面とＢ面とが略直交することで形成された角部を角部１０１ｈ１、１０１ｈ２とする。また、第１のパネル１０１において、辺２に該当し、Ｂ面と左側面とが略直交することで形成された角部を角部１０１ｉ１、１０１ｉ２とする。さらに、第１のパネル１０１において、辺２に該当し、左側面とＡ面とが略直交することで形成された角部を角部１０１ｊ１、１０１ｊ２とする。
【００５２】
このうち、角部１０１ｇ１、１０１ｈ１、１０１ｉ１、１０１ｊ１は、連続して形成された溝部１０１ｂ１、溝部１０１ｃ１、溝部１０１ｄ１に含まれる角部である。また、角部１０１ｇ２、１０１ｈ２、１０１ｉ２、１０１ｊ２は、連続して形成された溝部１０１ｂ２、溝部１０１ｃ２、溝部１０１ｄ２に含まれる角部である。
【００５３】
なお、上述した第１のパネル１０１と同様に、第２のパネル１０２の表面にも溝部１０２ｂ１〜１０２ｄ２が形成されている。溝部１０２ｂ１と溝部１０２ｃ１と溝部１０２ｄ１、および溝部１０２ｂ２と、溝部１０２ｃ２と、１０２ｄ１とによって、連続した一連の溝部が形成されている。第２のパネル１０２上のそれぞれの溝部は、前述した第１のパネル１０１に形成されている溝部に対応した位置に形成されている。この詳細については後述する。
【００５４】
なお、第１のパネル１０１及び第２のパネル１０２の正面（Ａ面）にも、上述した各溝部から連続した一連の溝部が設けられている。当該Ａ面上の溝部は、各パネル上に設けられた後述する固定部に向けて形成された溝部であって、各パネルの正面に導かれたワイヤーが、パネルの外装から突出することを防ぐために設けられている。
【００５５】
溝部１０１ｂ１および溝部１０１ｄ１は、第１のパネル１０１の下側面およびＢ面において、辺２から距離Ｌｂ１だけ離れた位置に形成されている。また、溝部１０１ｂ２および溝部１０１ｄ２は、第１のパネル１０１の下側面およびＢ面において、辺２から距離Ｌｂ２だけ離れた位置に形成されている。また、溝部１０１ｃ１は、第１のパネル１０１の左側面（辺２側の側面）において、辺１から距離Ｌｃ１だけ離れた位置に形成されている。また、溝部１０１ｃ２は、第１のパネル１０１の左側面（辺２側の側面）において、辺１から距離Ｌｃ２だけ離れた位置に形成されている。なお、距離Ｌｂ２は距離Ｌｂ１よりも大きく、距離Ｌｃ２は距離Ｌｃ１よりも大きい。
【００５６】
図４は、本発明の実施形態に係る第１のパネル１０１および第２のパネル１０２の各溝部の拡大断面を例示的に説明した拡大断面図である。図４に図示するように、第１のパネル１０１および第２のパネル１０２の表面には上述したように溝部が形成されており、当該各溝部は各パネル上において、断面が有底のＶ字形状となるように形成されている。
【００５７】
そして、後述する各ワイヤーは、後述する固定部によって端部が固定された状態で、第１のパネル１０１および第２のパネル１０２の表面に形成された溝部に沿って当該溝部内に導かれる。なお、図４に図示するように、各ワイヤーは、所定の溝部内に導かれることで当該溝部に落ち込んだ状態となる。各ワイヤーの詳細については後述する。
【００５８】
次に、第１のパネル１０１に設けられた各固定部について説明する。図３に図示するように、第１のパネル１０１のＡ面の縁部であって第１の表示部１０１ａと重畳しない位置には、固定部１０１ｅ１、固定部１０１ｅ２、固定部１０１ｆ１、固定部１０１ｆ２が設けられている。固定部１０１ｅ１は、後述するワイヤー１０３の一方の端部を固定する固定手段である。固定部１０１ｅ２は、後述するワイヤー１０４の一方の端部を固定する固定手段である。固定部１０１ｆ１は、後述するワイヤー１０５の一方の端部を固定する固定手段である。固定部１０１ｆ２は、後述するワイヤー１０６の一方の端部を固定する固定手段である。
【００５９】
なお、固定部１０１ｅ１および固定部１０１ｅ２は、第１のパネル１０１のＡ面の縁部のうち、下側面側（第１の辺側）近傍の位置（第１の位置）に設けられている。また、固定部１０１ｆ１および固定部１０１ｆ２は、第１のパネル１０１のＡ面の縁部のうち、左側面側（第２の辺側）近傍の位置（第４の位置）に設けられている。以上が第１のパネル１０１の説明である。
【００６０】
以下、第２のパネル１０２の詳細について説明する。なお、第２のパネル１０２の構成は、上述した第１のパネル１０１と略同一であるため、第２のパネル１０２と第１のパネル１０１との差異についてのみ以下に説明する。
【００６１】
本実施形態の第２のパネル１０２は、辺３において、溝部１０２ｄ１の下側面側の端部と溝部１０２ｂ１の下側面側の端部の位置が一致し、辺４において、溝部１０２ｄ１の右側面側の端部と溝部１０２ｃ１の右側面側の端部の位置が一致する。すなわち、第２のパネル１０２には、溝部１０２ｂ１と溝部１０２ｄ１と溝部１０２ｃ１とによって、連続した一連の溝部が形成されている。同様に、第２のパネル１０２は、辺３において、溝部１０２ｄ２の下側面側の端部と溝部１０２ｂ２の下側面側の端部の位置が一致し、辺４において、溝部１０２ｄ２の右側面側の端部と溝部１０２ｄ２の右側面側の端部の位置が一致する。すなわち、第２のパネル１０２には、溝部１０２ｂ２と溝部１０２ｄ２と溝部１０２ｃ２とによって、連続した一連の溝部が形成されている。
【００６２】
また、上述した第１のパネル１０１と同様に、第２のパネル１０２にも角部１０２ｇ１、１０２ｇ２、１０２ｈ１、１０２ｈ２、１０２ｉ１、１０２ｉ２、１０２ｊ１、１０２ｊ２が形成されている。第２のパネル１０２において、辺３に該当し、Ａ面と下側面とが略直交することで形成された角部が角部１０２ｇ１、１０２ｇ２である。
【００６３】
第２のパネル１０２において、辺３に該当し、下側面とＢ面とが略直交することで形成された角部が角部１０２ｈ１、１０２ｈ２である。また、第１のパネル１０１において、辺４に該当し、Ｂ面と右側面とが略直交することで形成された角部が角部１０２ｉ１、１０２ｉ２である。さらに、第２のパネル１０２において、辺４に該当し、右側面とＡ面とが略直交することで形成された角部が角部１０２ｊ１、１０２ｊ２である。このうち、角部１０２ｇ１、１０２ｈ１、１０２ｉ１、１０２ｊ１は、連続して形成された溝部１０２ｂ１、溝部１０２ｃ１、溝部１０２ｄ１に含まれる角部である。また、角部１０２ｇ２、１０２ｈ２、１０２ｉ２、１０２ｊ２は、連続して形成された溝部１０２ｂ２、溝部１０２ｃ２、溝部１０２ｄ２に含まれる角部である。
【００６４】
第２のパネル１０２のＡ面の縁部であって第２の表示部１０２ａと重畳しない位置には、固定部１０２ｅ１、固定部１０２ｅ２、固定部１０２ｆ１、固定部１０２ｆ２が設けられている。固定部１０２ｅ１は、後述するワイヤー１０５の一方の端部を固定する固定手段である。固定部１０２ｅ２は、後述するワイヤー１０６の一方の端部を固定する固定手段である。固定部１０２ｆ１は、後述するワイヤー１０３の一方の端部を固定する固定手段である。固定部１０２ｆ２は、後述するワイヤー１０４の一方の端部を固定する固定手段である。
【００６５】
なお、固定部１０２ｅ１はおよび固定部１０２ｅ２は、第２のパネル１０２のＡ面の縁部のうち、下側面側（第３の辺側）近傍の位置（第３の位置）に設けられている。また、固定部１０２ｆ１および固定部１０２ｆ２は、第２のパネル１０２のＡ面の縁部のうち、左側面側（第４の辺側）近傍の位置（第２の位置）に設けられている。以上が第２のパネル１０２の説明である。
【００６６】
以下、本実施形態における第１のパネル１０１および第２のパネル１０２の相対的な配置を変更可能に連結する連結手段であるワイヤー１０３〜１０６の詳細について説明する。ワイヤー１０３〜１０６は合成繊維や金属材料によって成形される線形状の連結手段であって、第１のパネル１０１と第２のパネル１０２とを折り畳み自在に連結している。
【００６７】
なお、ワイヤー１０３〜１０６はそれぞれ、線方向への弾性と、曲げ方向への柔軟性を有している。また、各ワイヤーの両端部は、端部同士が結合していない形状の連結手段である。すなわち、本実施形態のワイヤー１０３〜１０６は非ループ形状である。
【００６８】
上述したワイヤー１０３〜１０６は、各ワイヤーの線方向に張力が生じるように、両端が引っ張られた状態で各固定部に固定される。例えば、ワイヤー１０３であれば、表示装置１００の展開状態および折り畳み状態（収納状態または両面状態）のそれぞれにおいて、ワイヤー１０３が撓まないように固定部１０１ｅ１と固定部１０２ｆ１とに固定されている。この構成によって、ワイヤー１０３〜１０６は、それぞれ対応する溝部の内部に導かれた状態で長さが最短となるような経路を通る。
【００６９】
ワイヤー１０３〜１０６には、ユーザが表示装置１００の状態を変更する（展開する、または折り畳む）際に加える外力などが加わる。当該外力によって、ワイヤーが溝部から脱落することを防ぐためには、ワイヤーの張力を増加させ、緩みを小さくすることが望ましい。具体的には、上述した外力によって、ワイヤーが切れること防止するためには、ワイヤーの張力を、ワイヤーの引っ張り強度から計算される所定の値以下に低減することが望ましい。すなわち、溝部からのワイヤーの脱落およびワイヤーの破損等を考慮した信頼性を確保するために、各ワイヤーの張力を望ましい範囲に収める必要がある。しかしながら、部品の加工精度や組み付け精度によって、各ワイヤーの張力は設計値からばらつく。
【００７０】
そこで、本実施形態の表示装置１００は、各固定部に、対応する各ワイヤーの張力を調節することができる張力調節機構が設けられている。さらに、本実施形態のワイヤー１０３〜１０６は、それぞれが独立した１つの部材であって、異なる固定部に固定されている。
【００７１】
上述した張力調節機構としては、例えば、前述した各固定部に対応した第１のパネル１０１と第２のパネル１０２の各位置に、各ワイヤーを挿入可能な孔部を設ける。そして、当該孔部にワイヤーが挿入された状態で、孔部にワイヤーの端部を固定するための固定ピンを挿入する。この構成であれば、孔部に挿入するワイヤーの量や、ピンの挿入度合を変化させることで、ワイヤーの張力を調節することができる。この場合、各固定部が上述した張力調節機構に該当する。
【００７２】
なお、上述した固定ピンの外径を、孔部の内径よりも若干大きく設定する。この状態で、孔部の内部と固定ピンの外部とが所定の摩擦力を生じながら互いに慴動するので、固定ピンが孔部から脱落することを防止することができる。
【００７３】
以上説明した構成によって、本実施形態の表示装置１００は、各ワイヤーの張力を独立して調整することができる。したがって、各ワイヤーが対応する溝部から脱落することや、破損することを防ぐことができる。
【００７４】
なお、固定部１０１ｅ１の張力調節機構を用いてワイヤー１０３の張力を調節したとしても、その他のワイヤー１０４〜１０６の張力は変化しない。したがって、本実施形態の表示装置１００では、調節が必要なワイヤーの張力のみを独立して調節することができる。以上がワイヤー１０３〜１０６の説明である。
【００７５】
なお、本実施形態では、表示装置１００を横展開状態にした場合、第１のパネル１０１と第２のパネル１０２の各溝部および各固定部同士は、辺２と辺４を中心線とした線対称の関係となる位置に設けられる。また、表示装置１００を縦展開状態にした場合、第１のパネル１０１と第２のパネル１０２の各溝部および各固定部同士は、辺１と辺３を中心線とした線対称の関係となる位置に設けられる。この詳細については後述する。
【００７６】
また、本実施形態の表示装置１００では、各固定部で対応する各ワイヤーを固定する方法としては、上述した固定ピン以外に、接着、熱カシメ、圧着、フックなどへの引っかけなど種々の方法を採用することができる。
【００７７】
次に、図５を参照して表示装置１００の展開状態と折り畳み状態の詳細について説明する。図５は、本発明を実施する表示装置の実施形態である表示装置１００の展開状態および折り畳み状態を例示的に説明する図であって、表示装置１００の各状態における三面図（正面図、右側面図、下側面図）を示している。図５（ａ）は、表示装置１００の収納状態Ａを例示的に説明した図である。
【００７８】
表示装置１００は収納状態Ａにおいて、各パネルＡ面およびＢ面と直交する方向において、第１のパネル１０１の辺１と第２のパネル１０２辺３とが一致し、第１のパネル１０１の辺２と第２のパネル１０２の辺４とが一致する。
【００７９】
図５（ｂ）は、表示装置１００の横展開状態を例示的に説明した図であって図５（ａ）に図示する矢印方向に第２のパネル１０２を相対的に略１８０度回動させた（展開させた）状態を示している。表示装置１００は横展開状態において、第１のパネル１０１の辺１の延長線上に連続して第２のパネル１０２の辺３が位置し、第１のパネル１０１および第２のパネル１０２のＡ面およびＢ面同士がそれぞれ同一の方向を向く。
【００８０】
図５（ｃ）は、表示装置１００の両面状態を例示的に説明する図であって、図５（ｂ）に図示する矢印方向に第２のパネル１０２を相対的に略１８０度回動させた（折り畳んだ）状態を示している。
【００８１】
表示装置１００は両面状態において、前述した収納状態と同様に、各パネルＡ面およびＢ面と直交する方向において、第１のパネル１０１の辺１と第２のパネル１０２の辺３とが一致し、第１のパネル１０１の辺２と第２のパネル１０２の辺４とが一致する。
【００８２】
図５（ｄ）は、表示装置１００の縦展開状態を例示的に説明する図であって、図５（ｃ）に図示する矢印方向に第２のパネル１０２を相対的に略１８０度回動させた（展開させた）状態を示している。表示装置１００は縦展開状態において、第１のパネル１０１の辺２の延長線上に連続して第２のパネル１０２の辺４が位置し、第１のパネル１０１および第２のパネル１０２のＡ面およびＢ面同士がそれぞれ同一の方向を向く。
【００８３】
図５（ｅ）は、表示装置１００の収納状態Ｂを例示的に説明した図であって、図５（ｄ）に図示する矢印の方向に第２のパネル１０２を相対的に略１８０度回動させた（折り畳んだ）状態を示している。表示装置１００は収納状態Ｂにおいても、収納状態Ａと同様に、各パネルのＡ面およびＢ面と直交する方向において、第１のパネル１０１の辺１と第２のパネル１０２の辺３とが一致し、第１のパネル１０１の辺２と第２のパネル１０２の辺４とが一致する。
【００８４】
以下、図５（ａ）〜図５（ｅ）を参照して、表示装置１００の各状態においける各ワイヤーの位置について詳細を説明する。
【００８５】
図５の各図に図示するように、ワイヤー（第１の連結手段）１０３は、一方の端部が第１のパネル１０１の固定部１０１ｅ１に固定され、他方の端部が第２のパネル１０２の固定部１０２ｆ１に固定されている。また、ワイヤー（第１の連結手段）１０４は、一方の端部が第１のパネル１０１の固定部１０１ｅ２に固定され、他方の端部が第２のパネル１０２の固定部１０２ｆ２に固定されている。また、ワイヤー（第２の連結手段）１０５は、一方の端部が第２のパネル１０２の固定部１０２ｅ１に固定され、他方の端部が第１のパネル１０１の固定部１０１ｆ１に固定されている。また、ワイヤー（第２の連結手段）１０６は、一方の端部が第２のパネル１０２の固定部１０２ｅ２に固定され、他方の端部が第１のパネル１０１の固定部１０１ｆ２に固定されている。
【００８６】
まず、図５（ａ）を参照して、表示装置１００の収納状態Ａについて説明する。表示装置１００は収納状態Ａで、固定部１０１ｅ１で固定されたワイヤー１０３が、溝部１０１ｂ１、溝部１０１ｄ１、溝部１０１ｃ１に沿い、第１のパネル１０１の下側面、Ｂ面、左側面と接しつつ（経由して）固定部１０２ｆ１に固定される。また、表示装置１００は収納状態Ａで、固定部１０１ｅ２に固定されたワイヤー１０４が、溝部１０１ｂ２、溝部１０１ｄ２、溝部１０１ｃ２に沿い、第１のパネル１０１の下側面、Ｂ面、左側面を接しつつ固定部１０２ｆ２に固定される。また、表示装置１００は収納状態Ａで、固定部１０２ｅ１に固定されたワイヤー１０５が、溝部１０２ｂ１、溝部１０２ｄ１、溝部１０２ｃ１に沿い、第２のパネル１０２の下側面、Ｂ面、右側面と接しつつ固定部１０１ｆ１に固定される。また、表示装置１００は収納状態Ａで、固定部１０２ｅ２に固定されたワイヤー１０６が、溝部１０２ｂ２、溝部１０２ｄ２、溝部１０２ｃ２に沿い、第２のパネル１０２の下側面、Ｂ面、右側面と接しつつ固定部１０１ｆ２に固定される。
【００８７】
次に、図５（ｂ）を参照して、表示装置１００の横展開状態について説明する。なお、表示装置１００の横展開状態において、各ワイヤーは、前述した収納状態Ａと同様の溝部に導かれるため、以降は、横展開状態と収納状態Ａとの違いについて説明する。
【００８８】
表示装置１００の横展開状態でワイヤー（第１の連結手段）１０３は、第１のパネル１０１と第２のパネル１０２との間を通って第２のパネル１０２のＡ面へと向かう。同様に、ワイヤー（第２の連結手段）１０５は、第１のパネル１０１と第２のパネル１０２との間を通って第１のパネル１０１のＡ面へと向かう。
【００８９】
なお、第１のパネル１０１と第２のパネル１０２との間とは、第１のパネル１０１に形成された溝部１０１ｃ１と第２のパネル１０２に形成された溝部１０２ｃ１の双方によって形成された空間を示している。
【００９０】
また、表示装置１００の横展開状態でワイヤー（第１の連結手段）１０４は、第１のパネル１０１と第２のパネル１０２との間を通って第２のパネル１０２のＡ面へと向かう。同様に、ワイヤー（第２の連結手段）１０６は、第１のパネル１０１と第２のパネル１０２との間を通って第１のパネル１０１のＡ面へと向かう。なお、第１のパネル１０１と第２のパネル１０２との間とは、第１のパネル１０１に形成された溝部１０１ｃ２と第２のパネル１０２に形成された溝部１０２ｃ２の双方によって形成された空間を示している。
【００９１】
なお、表示装置１００の横展開状態において、ワイヤー１０３のうち、溝部１０１ｄ１に沿ってＢ面上を通過する（Ｂ面と接する）部分を通過部１０３ｃとする。また、ワイヤー１０４のうち、溝部１０１ｄ２に沿ってＢ面を通過する（Ｂ面と接する）部分を通過部１０４ｃとする。同様に、ワイヤー１０５のうち、溝部１０２ｄ１に沿ってＢ面上を通過する（Ｂ面と接する）部分を通過部１０５ｃとする。そして、ワイヤー１０６のうち、溝部１０２ｄ２に沿ってＢ面上を通過する（Ｂ面と接する）部分を通過部１０６ｃとする。
【００９２】
なお、表示装置１００が横展開状態である場合、ワイヤー１０３は、少なくとも、第１のパネル１０１の角部１０１ｇ１、１０１ｈ１、１０１ｉ１、第２のパネル１０２の角部１０２ｊ１と接触する。また、表示装置１００が横展開状態である場合、ワイヤー１０４は、少なくとも、第１のパネル１０１の角部１０１ｇ２、１０１ｈ２、１０１ｉ２、第２のパネル１０２の角部１０２ｊ２と接触する。また、表示装置１００が横展開状態である場合、ワイヤー１０５は、少なくとも、第２のパネル１０２の角部１０２ｇ１、１０２ｈ１、１０２ｉ１、第１のパネル１０１の角部１０１ｊ１と接触する。さらに、表示装置１００が横展開状態である場合、ワイヤー１０６は、少なくとも、第２のパネル１０２の角部１０２ｇ２、１０２ｈ２、１０２ｉ２、第１のパネル１０１の角部１０１ｊ２と接触する。この詳細については図６を参照して後述する。
【００９３】
次に、図５（ｃ）を参照して、表示装置１００の両面状態について説明する。表示装置１００が両面状態である場合、固定部１０１ｅ１で固定されたワイヤー１０３が、溝部１０１ｂ１、溝部１０２ｃ１に沿い、第１のパネル１０１の下側面と第２のパネル１０２の右側面と接しつつ固定部１０２ｆ１に固定される。
【００９４】
なお、ワイヤー１０３は、第１のパネル１０１および第２のパネル１０２のＢ面上において、第１のパネル１０１と第２のパネルの間を通過する。当該第１のパネル１０１と第２のパネル１０２との間とは、第１のパネル１０１に形成された溝部１０１ｄ１と第２のパネル１０２に形成された溝部１０２ｄ１の双方によって形成された空間である。
【００９５】
また、表示装置１００は両面状態で、固定部１０１ｅ２で固定されたワイヤー１０４が、溝部１０１ｂ２、溝部１０２ｃ２に沿い、第１のパネル１０１の下側面と第２のパネル１０２の右側面と接しつつ固定部１０２ｆ２に固定される。なお、ワイヤー１０４は、第１のパネル１０１および第２のパネル１０２のＢ面上において、第１のパネル１０１と第２のパネルの間を通過する。当該第１のパネル１０１と第２のパネル１０２との間とは、第１のパネル１０１に形成された溝部１０１ｄ２と第２のパネル１０２に形成された溝部１０２ｄ２の双方によって形成された空間を示している。
【００９６】
また、表示装置１００は両面状態で、固定部１０２ｅ１で固定されたワイヤー１０５が、溝部１０２ｂ１、溝部１０１ｃ１に沿い、第２のパネル１０２の下側面と第１のパネル１０１の左側面と接しつつ固定部１０１ｆ１に固定される。なお、ワイヤー１０５も前述したワイヤー１０３と同様に、第１のパネル１０１および第２のパネル１０２のＢ面上において、第１のパネル１０１と第２のパネルの間を通過する。
【００９７】
また、表示装置１００は両面状態で、固定部１０２ｅ２で固定されたワイヤー１０６が、溝部１０２ｂ２、溝部１０１ｃ２に沿い、第２のパネル１０２の下側面と第１のパネル１０１の左側面と接しつつ固定部１０１ｆ２に固定される。なお、ワイヤー１０６も前述したワイヤー１０４と同様に、第１のパネル１０１および第２のパネル１０２のＢ面上において、第１のパネル１０１と第２のパネルの間を通過する。
【００９８】
次に、図５（ｄ）を参照して、表示装置１００の縦展開状態について説明する。表示装置１００は縦展開状態で、固定部１０１ｅ１で固定されたワイヤー１０３が、溝部１０２ｄ１、溝部１０２ｃ１に沿い、第２のパネル１０２のＢ面と右側面と接しつつ固定部１０２ｆ１に固定される。なお、ワイヤー１０３は、第１のパネル１０１および第２のパネル１０２の下側面上において、第１のパネル１０１と第２のパネルの間を通過する。当該第１のパネル１０１と第２のパネル１０２との間とは、第１のパネル１０１に形成された溝部１０１ｂ１と第２のパネル１０２に形成された溝部１０２ｂ１の双方によって形成された空間を示している。
【００９９】
また、表示装置１００は縦展開状態で、固定部１０１ｅ２で固定されたワイヤー１０４が、溝部１０２ｄ２、溝部１０２ｃ２に沿い、第２のパネル１０２のＢ面と右側面と接しつつ固定部１０２ｆ２に固定される。なお、ワイヤー１０４は、第１のパネル１０１および第２のパネル１０２の下側面上において、第１のパネル１０１と第２のパネルの間を通過する。当該第１のパネル１０１と第２のパネル１０２との間とは、第１のパネル１０１に形成された溝部１０１ｂ２と第２のパネル１０２に形成された溝部１０２ｂ２の双方によって形成された空間である。
【０１００】
また、表示装置１００は縦展開状態で、固定部１０２ｅ１で固定されたワイヤー１０５が、溝部１０１ｄ１、溝部１０１ｃ１に沿い、第１のパネル１０１のＢ面と左側面と接しつつ固定部１０１ｆ１に固定される。なお、ワイヤー１０５も前述したワイヤー１０３と同様に、第１のパネル１０１および第２のパネル１０２の下側面側において、第１のパネル１０１と第２のパネルの間を通過する。
【０１０１】
また、表示装置１００は縦展開状態で、固定部１０２ｅ２で固定されたワイヤー１０６が、溝部１０１ｄ２、溝部１０１ｃ２に沿い、第１のパネル１０１のＢ面と左側面と接しつつ固定部１０１ｆ２に固定される。なお、ワイヤー１０６も前述したワイヤー１０４と同様に、第１のパネル１０１および第２のパネル１０２の下側面側において、第１のパネル１０１と第２のパネルの間を通過する。
【０１０２】
なお、表示装置１００が縦展開状態である場合、ワイヤー１０３は、少なくとも、第２のパネル１０２の角部１０２ｊ１、１０２ｉ１、１０２ｊ１、第１のパネル１０１の角部１０１ｇ１と接触する。また、表示装置１００が縦展開状態である場合、ワイヤー１０４は、少なくとも、第２のパネル１０２の角部１０２ｊ２、１０２ｉ２、１０２ｊ２、第１のパネル１０１の角部１０１ｇ２と接触する。また、表示装置１００が縦展開状態である場合、ワイヤー１０５は、少なくとも、第１のパネル１０１の角部１０１ｊ１、１０１ｉ１、１０１ｊ１、第２のパネル１０２の角部１０２ｇ１と接触する。さらに、表示装置１００が縦展開状態である場合、ワイヤー１０６は、少なくとも、第１のパネル１０１の角部１０１ｊ２、１０１ｉ２、１０１ｊ２、第２のパネル１０２の角部１０２ｇ２と接触する。この詳細については図８を参照して後述する。
【０１０３】
次に、図５（ｅ）を参照して、表示装置１００の収納状態Ｂについて説明する。表示装置１００は収納状態Ｂで、固定部１０１ｅ１で固定されたワイヤー１０３が、溝部１０２ｂ１、溝部１０２ｄ１、溝部１０２ｃ１に沿い、第２のパネル１０２の下側面、Ｂ面、右側面と接しつつ固定部１０２ｆ１に固定される。
【０１０４】
また、表示装置１００は収納状態Ｂで、固定部１０１ｅ２で固定されたワイヤー１０４が、溝部１０２ｂ２、溝部１０２ｄ２、溝部１０２ｃ２に沿い、第２のパネル１０２の下側面、Ｂ面、右側面と接しつつ固定部１０２ｆ２に固定される。
【０１０５】
また、表示装置１００は、収納状態Ｂで、固定部１０２ｅ１で固定されたワイヤー１０５が、溝部１０１ｂ１、溝部１０１ｄ１、溝部１０１ｃ１に沿い、第１のパネル１０１の下側面、Ｂ面、左側面と接しつつ固定部１０１ｆ１に固定される。
【０１０６】
また、表示装置１００は収納状態Ｂで、固定部１０２ｅ２で固定されたワイヤー１０６が、溝部１０１ｂ２、溝部１０１ｄ２、溝部１０１ｃ２に沿い、第１のパネル１０１の下側面、Ｂ面、左側面と接しつつ固定部１０１ｆ２に固定される。
【０１０７】
以上説明したように、本実施形態の表示装置１００は、第１のパネル１０１と第２のパネル１０２の相対的な配置を変更することで、上述した各状態に展開および折り畳むことができる。具体的には、収納状態Ａを基準として、収納状態Ａ、横展開状態、両面状態、縦展開状態、収納状態Ｂの順またはその逆順に、表示装置１００を展開および折り畳むことができる。すなわち、本実施形態の表示装置１００は、各筐体間において、延長線上に位置する辺同士が異なるように、各筐体同士の相対的な配置を変更することができる。
【０１０８】
ここで、ワイヤー１０３は、表示装置１００の横展開状態において第１のパネル１０１のＢ面に形成された溝部１０１ｄ１の内部に導かれるのに対して、縦展開状態において第２のパネル１０２のＢ面に形成された溝部１０２ｄ１の内部に導かれる。なお、ワイヤー１０４〜１０６についても、ワイヤー１０３と同様に、表示装置１００の展開状態に応じて導かれる溝部がそれぞれ変化する。
【０１０９】
すなわち、本実施形態のワイヤー１０３〜１０６は、表示装置１００の状態に応じて、第１のパネル１０１に形成された溝部と第２のパネル１０２に形成された溝部との間を移動する構成である。この構成により、本実施形態の表示装置１００は、第１のパネル１０１と第２のパネル１０２の相対的な配置を変更して、上述した各状態へと変更する（展開および折り畳む）ことができる。
【０１１０】
また、ワイヤー１０３〜１０６の大部分は、表示装置１００の状態が横展開状態である場合と縦展開状態である場合とで、Ａ面およびＢ面と直交する方向で重畳するパネル（または表示部）がそれぞれ変化する（入れ替わる）。例えば、各パネルのＡ面およびＢ面と直交する方向において、ワイヤー１０３の大部分は、表示装置１００の横展開状態で第１のパネル１０１と重畳し、縦展開状態で第２のパネル１０２と重畳する。これに対して、各パネルのＡ面およびＢ面と直交する方向において、ワイヤー１０５の大部分は、表示装置１００の横展開状態で第２のパネル１０２と重畳し、縦展開状態で第１のパネル１０１と重畳する。
【０１１１】
なお、本実施形態の表示装置１００は、上述したように、横展開状態、両面状態、縦展開状態において、各ワイヤーが、第１のパネル１０１と第２のパネル１０２との間に形成された各空間を通過するような構成である。この際、ワイヤー１０３とワイヤー１０５、およびワイヤー１０４とワイヤー１０６とは、上述した各空間において互いに交差している。以下、この点について図６〜８を参照して詳細を説明する。
【０１１２】
図６は、本発明を実施した表示装置の実施形態である表示装置１００の状態を横展開状態から収納状態Ａに変更する（折り畳む）場合を例示的に説明する図である。図６（ａ）は、表示装置１００を下側面方向から見た、表示装置１００の横展開状態を例示的に説明する拡大図である。図６（ｂ）は、表示装置１００を下側面側から見た場合の、表示装置１００の横展開状態から収納状態Ａへの移行状態を例示的に説明する拡大図である。図６（ｂ）に図示する表示装置１００は、図６（ａ）の状態から第２のパネル１０２を相対的に略９０度回動させた状態を示している。図６（ｃ）は、表示装置１００を下側面方向から見た場合の、表示装置１００の収納状態Ａを例示的に説明する拡大図である。図６（ｃ）に図示する表示装置１００は、図６（ｂ）の状態から第２のパネル１０２を相対的に９０度回動させた状態を示している。
【０１１３】
以下、図６（ａ）〜（ｃ）を参照して、図６（ａ）に図示する矢印Ｃの方向に向けて、表示装置１００を横展開状態から収納状態Ａへと変更する場合のワイヤー１０３、１０５の動作について説明する。なお、ワイヤー１０４およびワイヤー１０６の動作については、ワイヤー１０３およびワイヤー１０５と略同一なので説明は省略する。
【０１１４】
図６（ａ）に図示するように、表示装置１００の横展開状態において、ワイヤー１０３は、第１のパネル１０１の第１の辺に該当するＡ面側の角部１０１ｇ１とＢ面側の角部１０１ｈ１、第２の辺に該当するＢ面側の角部１０１ｉ１とそれぞれ接している。そして、第１パネル１０１の角部１０１ｉ１と第２のパネル１０２の第４の辺に該当するＡ面側の角部１０２ｊ１に支持されている。この状態でワイヤー１０３は、溝部１０１ｃ１と溝部１０２ｃ１との間に形成された空間を通過する。
【０１１５】
また、表示装置１００の横展開状態において、ワイヤー１０５は、第２のパネル１０２の第３の辺に該当するＡ面側の角部１０２ｇ１とＢ面側の角部１０２ｈ１、第２の辺に該当するＢ面側の角部１０２ｉ１とそれぞれ接している。そして、第２パネル１０２の溝部１０２ｃ１のＢ面側の角部１０２ｉ１と第１のパネル１０１の溝部１０１ｃ１の第２の辺に該当するＡ面側の角部１０１ｊ１に支持される。この状態でワイヤー１０５は、溝部１０１ｃ１と溝部１０２ｃ１との間に形成された空間を通過する。
【０１１６】
そして、図６（ａ）に図示するように、ワイヤー１０３とワイヤー１０５とは、第１パネル１０１の溝部１０１ｃ１と第２パネル１０２の溝部１０２ｃ１によって形成される空間の中で交差している。この際、ワイヤー１０３とワイヤー１０５は、第１のパネル１０１と第２のパネル１０２のＡ面とＢ面の間の略中間の位置で交差している。
【０１１７】
次に、図６（ｂ）に図示する表示装置１００の移行状態では、ワイヤー１０３とワイヤー１０５の交差位置が、第２のパネル１０２の折り畳みに伴って、第１のパネル１０１および第２のパネル１０２のＡ面側へと移行する。
【０１１８】
次に、図６（ｃ）に図示する表示装置１００の収納状態Ａにおいて、ワイヤー１０３は、第２のパネル１０２の固定部１０２ｆ１と第１のパネル１０１の溝部１０１ｃ１のＡ面側の角部１０１ｉ１に支持される。また、ワイヤー１０５は、第１のパネル１０１の固定部１０１ｆ１と第２のパネル１０２の溝部１０２ｃ１のＡ面側の角部１０２ｉ１に支持される。
【０１１９】
図６（ｃ）に図示するように、表示装置１００の収納状態Ａでは、ワイヤー１０３とワイヤー１０５が、第１のパネル１０１のＡ面と第２のパネル１０２のＡ面との間で交差する。具体的には、第１のパネル１０１と第２のパネル１０２のＡ面上に形成された溝部同士によって形成された空間において、ワイヤー１０３とワイヤー１０５とが交差する。
【０１２０】
以上説明したように、表示装置１００を横展開状態から収納状態Ａへと折り畳む動作に伴って、各ワイヤーを支持する位置が変化する。そして、ワイヤーを支持する位置が変化することに応じて、各ワイヤー同士が交差する位置が第１のパネル１０１および第２のパネル１０２のＡ面とＢ面との間の位置からＡ面側へと移行する。この構成によって、ワイヤーが対応する溝部から脱落することなく表示装置１００を折り畳むことができる。
【０１２１】
なお、表示装置１００の状態を収納状態Ａから横展開状態へと変更（展開）する場合は、上述の動きとは逆の順序で各ワイヤーが動作する。また、表示装置１００の縦展開状態から収納状態Ｂへの移行、または収納状態Ｂから縦展開状態への移行動作は、前述した表示装置１００の横展開状態から収納状態Ａへの移行、または収納状態Ａから横展開状態への移行動作と同様であるので説明は省略する。
【０１２２】
図７は、本発明を実施した表示装置の実施形態である表示装置１００の状態を横展開状態から両面状態に変更する（折り畳む）場合を例示的に説明する図である。図７（ａ）は、表示装置１００を下側面方向から見た、表示装置１００の横展開状態を例示的に説明する拡大図である。図７（ｂ）は、表示装置１００を下側面方向から見た、表示装置１００の横展開状態から両面状態への移行状態を例示的に説明する拡大図であって、図７（ａ）の状態から第２のパネル１０２を相対的に略４５度回動させた状態を示している。図７（ｃ）は、表示装置１００を下側面方向から見た、表示装置１００の横展開状態から両面状態への移行状態を例示的に説明する拡大図であって、図７（ａ）の状態から第２のパネル１０２を相対的に略９０度回動させた状態を示している。図７（ｄ）は、表示装置１００を下側面方向から見た、表示装置１００の横展開状態から両面状態への移行状態を例示的に説明する拡大図であって、図７（ａ）の状態から第２のパネル１０２を相対的に略１３５度回動させた状態を示している。図７（ｅ）は、表示装置１００を下側面方向から見た、表示装置１００の両面状態を例示的に説明する拡大図であって、図７（ａ）の状態から第２のパネル１０２を相対的に略１８０度回動させた状態を示している。以下、図７（ａ）〜（ｅ）を参照して、図７（ａ）に示す矢印Ｄ方向に、表示装置１００を横展開状態から両面状態へと移行させる際のワイヤー１０３、１０５の動きについて説明する。なお、ワイヤー１０４およびワイヤー１０６の動きについては、ワイヤー１０３およびワイヤー１０５と同様なので説明は省略する。また、図７（ａ）の矢印Ｄ方向は、図６（ａ）で図示した矢印Ｃ方向とは反対方向である。
【０１２３】
図７（ａ）に図示する表示装置１００の横展開状態については、前述した通りなので説明を省略する。次に、図７（ｂ）に図示する表示装置１００の移行状態では、ワイヤー１０３とワイヤー１０５の交差位置が、第２のパネル１０２の折り畳みに伴って、第１のパネル１０１および第２のパネル１０２のＢ面側へと移行する。なお、この際のワイヤー１０３およびワイヤー１０５を支持する位置は、表示装置１００の横展開状態と略同一である。
【０１２４】
次に、図７（ｃ）に図示する表示装置１００の移行状態で、ワイヤー１０３は、第２のパネル１０２の溝部１０２ｃ１のＡ面側の端と第１のパネル１０１の溝部１０１ｂ１のＢ面側の端に支持される。また、ワイヤー１０５は、第１のパネル１０１の溝部１０１ｃ１のＡ面側の端と第２のパネル１０２の溝部１０２ｂ１のＢ面側の端に支持される。この際、ワイヤー１０３とワイヤー１０５の交差位置が、第２のパネル１０２の折り畳みに伴って、第１のパネル１０１および第２のパネル１０２のＢ面の端部近傍へと移行する。
【０１２５】
次に、図７（ｄ）に図示する表示装置１００の移行状態で、ワイヤー１０３は、第２のパネル１０２の溝部１０２ｃ１のＢ面側の端と第１のパネル１０１の溝部１０１ｂ１のＢ面側の端に支持される。また、ワイヤー１０５は、第１のパネル１０１の溝部１０１ｃ１のＢ面側の端と第２のパネル１０２の溝部１０２ｂ１のＢ面側の端に支持される。この状態で、ワイヤー１０３とワイヤー１０５の交差位置が、第２のパネル１０２の折り畳みに伴って、第１のパネル１０１のＢ面と第２のパネル１０２のＢ面の間へと移行する。なお、この状態で当該交差位置は、溝部１０１ｄ１と溝部１０２ｄ１との間に形成された空間には位置していない。
【０１２６】
次に、図７（ｅ）に図示する表示装置１００の両面状態で、ワイヤー１０３とワイヤー１０５とが、図７（ｄ）に図示した状態と同様の位置で支持され、溝部１０１ｄ１と溝部１０２ｄ１との間に形成された空間で交差する。
【０１２７】
以上説明したように、表示装置１００を横展開状態から両面状態へと折り畳む動作に伴って、各ワイヤーを支持する位置が変化する。そして、ワイヤーを支持する位置が変化することに応じて、各ワイヤー同士が交差する位置が第１のパネル１０１および第２のパネル１０２のＡ面とＢ面との間の位置からＢ面側へと移行する。この構成によって、ワイヤーが対応する溝部から脱落することなく表示装置１００の状態を変更（変形）させることができる。なお、表示装置１００の状態を両面状態から横展開状態へと変更（展開）する場合は、上述の動きとは逆の順序で各ワイヤーが動作する。
【０１２８】
図８は、本発明を実施した表示装置の実施形態である表示装置１００の状態を縦展開状態から両面状態へと変更する（折り畳む）場合を例示的に説明する図である。なお、図８の各図は、表示装置１００を左側面（第２のパネル１０２の右側面）方向から見た図であって、説明のために前述した図６および図７に合わせて、表示装置１００を略９０度回転させた状態を示している。
【０１２９】
図８（ａ）は、表示装置１００を左側面方向から見た、表示装置１００の縦展開状態を例示的に説明する拡大図である。図８（ｂ）は、表示装置１００を左側面方向から見た、表示装置１００の縦展開状態から両面状態への移行状態を例示的に説明する拡大図であって、図８（ａ）の状態から第１のパネル１０１を相対的に略４５度回動させた状態を示している。図８（ｃ）は、表示装置１００を左側面方向から見た、表示装置１００の縦展開状態から両面状態への移行状態を例示的に説明する拡大図であって、図８（ａ）の状態から第１のパネル１０１を相対的に略９０度回動させた状態を示している。図８（ｄ）は、表示装置１００を左側面方向から見た、表示装置１００の縦展開状態から両面状態への移行状態を例示的に説明する拡大図であって、図８（ａ）の状態から第１のパネル１０１を相対的に略１３５度回動させた状態を示している。図８（ｅ）は、表示装置１００を左側面方向から見た、表示装置１００の両面状態を例示的に説明する拡大図であって、図８（ａ）の状態から第１のパネル１０１を相対的に略１８０度回動させた状態を示している。以下、図８（ａ）〜（ｅ）を参照して、図８（ａ）に示す矢印Ｅ方向に、表示装置１００を縦展開状態から両面状態へと移行させる際のワイヤー１０３、１０５の動きについて説明する。なお、ワイヤー１０４およびワイヤー１０６の動きについては、ワイヤー１０３およびワイヤー１０５と同様なので説明は省略する。
【０１３０】
図８（ａ）に図示するように、表示装置１００の縦展開状態において、ワイヤー１０３は、第２のパネル１０２の第４の辺に該当するＡ面側の角部１０２ｊ１とＢ面側の角部１０２ｉ１、第３の辺に該当するＢ面側の角部１０２ｈｉ１とそれぞれ接している。そして、第２パネル１０２の角部１０２ｈ１と第１のパネル１０１の第１の辺に該当するＡ面側の角部１０１ｇ１に支持されている。この状態でワイヤー１０３は、溝部１０１ｂ１と溝部１０２ｂ１との間に形成された空間を通過する。
【０１３１】
また、表示装置１００の縦展開状態において、ワイヤー１０５は、第１のパネル１０１の第２の辺に該当するＡ面側の角部１０１ｊ１とＢ面側の角部１０１ｉ１、第１の辺に該当するＢ面側の角部１０１ｈ１とそれぞれ接している。そして、第１パネル１０１の角部１０１ｈ１と第２のパネル１０２の第３の辺に該当するＡ面側の角部１０２ｇ１に支持されている。この状態でワイヤー１０５は、溝部１０１ｂ１と溝部１０２ｂ１との間に形成された空間を通過する。
【０１３２】
そして、図８（ａ）に図示するように、ワイヤー１０３とワイヤー１０５とは、第１パネル１０１の溝部１０１ｂ１と第２パネル１０２の溝部１０２ｂ１によって形成される空間の中で交差している。この際、ワイヤー１０３とワイヤー１０５は、第１のパネル１０１と第２のパネル１０２のＡ面とＢ面の間の略中間の位置で交差する。
【０１３３】
次に、図８（ｂ）に図示する表示装置１００の移行状態では、ワイヤー１０３とワイヤー１０５の交差位置が、第２のパネル１０２の折り畳みに伴って、第１のパネル１０１および第２のパネル１０２のＢ面側へと移行する。なお、この際のワイヤー１０３およびワイヤー１０５を支持する位置は、表示装置１００の縦展開状態と略同一である。
【０１３４】
次に、図８（ｃ）に図示する表示装置１００の移行状態で、ワイヤー１０３は、第１のパネル１０１の溝部１０１ｂ１のＡ面側の端と第２パネル１０２の溝部１０２ｃ１のＢ面側の端に支持される。また、ワイヤー１０５は、第２のパネル１０２の溝部１０２ｂ１のＡ面側の端と第１のパネル１０１の溝部１０１ｃ１のＢ面側の端に支持される。
【０１３５】
また、この際、ワイヤー１０３とワイヤー１０５の交差位置が、第２のパネル１０２の折り畳みに伴って、第１のパネル１０１および第２のパネル１０２のＢ面の端部近傍へと移行する。
【０１３６】
次に、図８（ｄ）に図示する表示装置１００の移行状態で、ワイヤー１０３は、第１のパネル１０１の溝部１０１ｂ１のＢ面側の端と第２のパネル１０２の溝部１０２ｃ１のＢ面側の端に支持される。また、ワイヤー１０５は、第２のパネル１０２の溝部１０２ｂ１のＢ面側の端と第１のパネル１０１の溝部１０１ｃ１のＢ面側の端に支持される。
【０１３７】
この状態で、ワイヤー１０３とワイヤー１０５の交差位置が、第２のパネル１０２の折り畳みに伴って、第１のパネル１０１のＢ面と第２のパネル１０２のＢ面の間へと移行する。なお、この状態で当該交差位置は、溝部１０１ｄ１と溝部１０２ｄ１との間に形成された空間には位置していない。
【０１３８】
次に、図８（ｅ）に図示する表示装置１００の両面状態で、ワイヤー１０３とワイヤー１０５とが、図８（ｄ）に図示した状態と同様の位置で支持され、溝部１０１ｄ１と溝部１０２ｄ１との間に形成された空間で交差する。
【０１３９】
以上説明したように、表示装置１００の状態を縦展開状態から両面状態へと変更する（折り畳む）動作に伴って、各ワイヤーを支持する第１のパネル１０１および第２のパネル１０２における位置が変化する。そして、ワイヤーを支持する位置が変化することに応じて、各ワイヤー同士が交差する位置が第１のパネル１０１および第２のパネル１０２のＡ面とＢ面との間の位置からＢ面側へと移行する。この構成によって、ワイヤーが対応する溝部から脱落することなく表示装置１００の状態を変更させる（折り畳む）ことができる。なお、表示装置１００の状態を両面状態から縦展開状態へと変更（展開）させる場合は、上述の動きとは逆の順序で各ワイヤーが動作する。
【０１４０】
以上説明した構成によって、本実施形態の表示装置１００は、横展開状態、両面状態、収納状態Ａ、収納状態Ｂ、縦展開状態という５つの状態間における変形操作を容易に行うことができる。したがって、本実施形態の表示装置１００は、それぞれ表示部が設けられた第１のパネル１０１と第２のパネル１０２との相対的な配置を複数の状態へと変更することができる。特に、第１のパネル１０１と第２のパネル１０２において、延長線上に位置する辺同士が異なるように、第１のパネル１０１と第２のパネル１０２の相対的な配置を変更することができる。
【０１４１】
したがって、本実施形態の表示装置１００は、表示部１０１ａと表示部１０２ａに単一の画像を分割して表示させる場合に、当該単一の画像の大きさや撮影の種類に応じて、各パネルの相対的な配置を自由に変更することができる。
【０１４２】
例えば、表示装置１００全体に表示させる表示画像の直交する２辺（例えば、長辺と短辺）の比率が、３：２や１６：９など、写真（または撮像素子）に多用される比率である場合は、表示装置１００の状態を縦展開状態に変更させる。また、表示装置１００全体に表示させる表示画像の直交する２辺の比率が、映画用に多用されるスコープサイズや、所謂パノラマ画像などの横長な比率（例えば、２：１以上の比率など）である場合は、表示装置１００の状態を横展開状態に変更させる。
【０１４３】
このように、本実施形態の表示装置１００は、ユーザによって、表示画像のそれぞれが直交する２辺の比率（アスペクト比）に合わせて、各パネルの相対的な配置を変更することができるので、できる限り大きく画像を表示させることができる。特に、表示装置１００をデジタルカメラなどの撮像装置に適用させた場合は、撮像装置によって取得した大きさ（各辺の比率）が異なる種々の画像に合わせて、当該画像をできるだけ大きく表示させることができる。
【０１４４】
ここで、表示装置１００の第１のパネル１０１および第２のパネル１０２における画像（表示画像）の表示サイズについて説明する。
【０１４５】
まず、表示装置１００が両面状態（図５（ｃ））である場合、表示部１０１ａおよび表示部１０２ａにおける表示画像の表示サイズは、各筐体の長辺と平行な方向の長さがＷｄ、短辺と平行な方向の長さがＨｄとなる。
【０１４６】
また、表示装置１００が横展開状態（図５（ｂ））である場合、表示装置１００全体の表示領域は、表示部１０１ａと表示部１０２ａとを足し合わせた領域となる。したがって、表示装置１００が横展開状態である場合、上述した領域を表示装置１００の表示領域とみなし、当該表示領域に表示画像を表示させることができる。この場合、表示領域の大きさは、幅２Ｗｄ、高さＨｄとなる。
【０１４７】
同様に、表示装置１００が縦展開状態（図５（ｄ））である場合も、表示部１０１ａと表示部１０２ａとを足し合わせた領域を表示装置１００全体の表示領域とみなし、この場合の当該表示領域の大きさは、幅Ｗｄ、高さ２Ｈｄとなる。
【０１４８】
すなわち、本実施形態の表示装置１００は、展開状態における表示領域を、両面状態における表示領域に対して約２倍の面積とすることができる。逆に、表示装置１００は、両面状態における表示領域を展開状態における表示領域に対して約半分の面積とすることができる。以上説明したように、本実施形態の表示装置１００は、状態に応じて装置自体の小型化と表示領域の大型化が可能であるので、携帯性を向上しつつ、同一平面における表示領域を拡大することができる。
【０１４９】
以上説明したように、本実施形態の表示装置１００は、収納状態（Ａ、Ｂ）、横展開状態、両面状態、縦展開状態などの複数の状態に変更することができる。特に、第１のパネル１０１と第２のパネル１０２において、延長線上に位置する辺同士が異なるように、第１のパネル１０１と第２のパネル１０２の相対的な配置を変更することができる。
【０１５０】
この構成により、本実施形態の表示装置１００は、表示部１０１ａと表示部１０２ａに単一の画像を分割して表示させる場合に、表示させたい画像のアスペクト比などに応じて、各パネルの相対的な配置を自由に変更することができる。
【０１５１】
ここで、撮像装置であるカメラ１の表示手段として表示装置１００を適用した場合について図９〜１７を参照して説明する。図９は、本発明の実施形態に係るカメラ１を説明する図である。カメラ１は、前述した表示装置１００とカメラ本体１０、ヒンジ１４などによって構成されている。本実施形態のカメラ１は、前述した表示装置１００が設けられている側を背面側、その反対側を正面側とする。また、カメラ１と表示装置１００とを連結するヒンジ１４が設けられている側を左側面側、その反対を右側面側とする。
【０１５２】
以下、カメラ本体１０を構成する各部について説明する。レリーズスイッチ１１は、被写体の撮像準備および撮像を指示するための部材であって、半押し（ＳＷ１）で被写体の撮像準備を指示することができ、全押し（ＳＷ２）で被写体の撮像を指示することができる。
【０１５３】
操作ボタン１２は、カメラ１の駆動モードや表示モードを設定できる操作部である。なお、操作ボタン１２は、撮像時の各種パラメータの変更や調整、画像再生時の画像変更などにも用いられる。
【０１５４】
なお、本実施形態のカメラ１は、駆動モードとして、被写体を撮像する撮影モードや画像を再生する再生モードを設定できる。
【０１５５】
また、本実施形態のカメラ１は、表示モードとして、表示装置１００の状態に基づいて表示画像の大きさを自動的に変更する自動表示モードを設定することができる。この自動表示モードでは、単一の表示画像を分割し、当該分割された画像を、表示部１０１ａと表示部１０２ａにそれぞれ表示させることができる。
【０１５６】
この際、第１のパネル１０１と第２のパネル１０２の相対的な配置に応じて、表示部１０１ａおよび表示部１０２ａに表示させる表示画像の大きさを変更する。例えば、表示装置１００が横展開状態である場合は、表示装置１００全体の表示領域が幅２Ｗｄ、高さＨｄであるので、当該表示領域の大きさに合わせて、分割して表示させる表示画像の大きさを変更する。また、表示装置１００が縦展開状態である場合は、表示装置１００全体の表示領域が幅Ｗｄ、高さ２Ｈｄであるので、当該表示領域の大きさに合わせて、分割して表示させる表示画像の大きさを変更する。
【０１５７】
なお、本実施形態のカメラ１は、自動表示モードが設定されている場合に、表示画像の大きさに関する情報に基づいて表示装置１００の最適な展開状態を報知することができる。この詳細については後述する。
【０１５８】
この他、カメラ１の表示モードとして、表示装置１００の横展開状態に合わせて表示画像を各表示部に表示させる横表示モードと、表示装置１００の縦展開状態に合わせて表示画像を各表示部に表示させる縦表示モードを設定できる。さらに、カメラ１の表示モードとしては、表示装置の両面状態に合わせて表示画像を各表示部に表示させる標準表示モードを設定できる。
【０１５９】
姿勢検出部１３はカメラ１の姿勢を検出する加速度センサーなどの姿勢検出手段である。本実施形態では、姿勢検出部１３による検出結果に基づいて、カメラ１の姿勢を検出することができる。なお、本実施形態では、カメラ本体１０に設けられた姿勢検出部１３を用いて、カメラ１の姿勢を検出するような構成であるが、これに限定されるものではない。例えば、表示装置１００に姿勢検出手段を設け、当該姿勢検出手段の検出結果に基づいて、カメラ１の姿勢を検出するような構成であってよい。
【０１６０】
ヒンジ１４は、カメラ本体１０の左側面側と表示装置１００の第１のパネル１０１の右側面側とを連結する連結手段であって、カメラ本体１０に対して、表示装置１００を相対的に回動させることができる。
【０１６１】
なお、本実施形態のヒンジ１４は、表示装置１００を構成する各パネルの短辺と平行な軸を回動軸とするが、これに限定されるものではない。この回動軸に加えて、当該回動軸と直交しつつ、表示装置１００の各パネルの長辺と平行な軸を中心に回動できるような構成（所謂バリアングル液晶タイプ）であってもよい。
【０１６２】
スピーカー３１は、カメラ１や表示装置１００の操作に関する音声案内や警告、所定の操作音などを出力できる音声出力手段である。なお、スピーカー３１は、第１のパネル１０１と第２のパネル１０２の相対的な配置に関する情報（音声案内）を報知する報知手段でもある。この詳細については後述する。
【０１６３】
次に、図１０を参照して、カメラ本体１０の内部構成について説明する。図１０は、本発明の実施形態に係るカメラ本体１０の内部構成について説明するブロック図である。
【０１６４】
カメラマイコン（ＣＰＵ）２は、カメラ１の動作を統括的に制御する制御手段である。以下に説明するカメラ１を構成する各部は、カメラマイコン２からの指示に応じて、各動作が制御される。
【０１６５】
レンズ制御回路３は、レンズユニット４の駆動を制御する駆動制御手段であって、不図示のズームレンズ、フォーカスレンズ、絞りなどの駆動を制御する。なお、本実施形態のレンズユニット４はカメラ本体１０と一体的に設けられているような構成であるが、レンズユニットとカメラ本体１０とがそれぞれ別々に設けられているような構成であってもよい。
【０１６６】
撮像制御回路５は、ＣＭＯＳ等の電荷蓄積型の撮像素子である撮像素子６の動作および不図示のシャッターの駆動を制御する制御手段であって、撮像素子６の蓄積時間制御や蓄積した電荷の読み出しに関する制御を行う。なお、撮像素子６は、レンズユニット４を介して入射した光束（被写体の光学像）を光電変換することによってアナログ画像データを出力する。
【０１６７】
撮像素子６によって取得されたアナログ画像データは、画像処理回路５０によってデジタル画像データに変換され、メモリ６０に記録される。当該デジタル画像データは、画像処理回路５０によって、所定の画像補間、リサイズ処理や色変換処理、飽和画素や黒潰れ画素などの画素データ数の演算処理などが施された後、表示用のアナログ画像データに変換される。
【０１６８】
状態検出回路８は、カメラ１に配設されるスイッチやボタンなどの各種の操作部の状態やセンサーなどの状態を検出する状態検出手段である。例えば、状態検出回路８は、姿勢検出部１３やカメラ状態検出部２０の検出結果や、ユーザによる操作ボタン１２の操作など、カメラ１に関わる種々の状態を検出することができる。
【０１６９】
電源スイッチ９は、カメラ本体１０の電源のオン／オフを指示するためのスイッチである。電源スイッチ９がオンされたことが状態検出回路８によって検出されると、電源回路８０からカメラ本体１０の各部に電力が供給される。また、表示装置１００の第１の電源部１１１と第２の電源部１２１から表示装置１００の各部に電力が供給される。
【０１７０】
なお、本実施形態では、カメラ本体１０と表示装置１００とでそれぞれ独立した電源を備えるような構成であるが、これに限定されるものではない。例えば、カメラ本体１０と表示装置１００とが電気的に接続されていれば、カメラ本体１０と表示装置１００のどちらか一方のみに電源を設け、カメラ１を構成する各部へと電源を供給するような構成であってもよい。
【０１７１】
カメラ状態検出部２０は、カメラ１の状態を検出する状態検出手段である。カメラ状態検出部２０は、電気接点２０ａによって構成されており、カメラ本体１０に設けられている。この電気接点２０ａと前述した電気接点２１ａとの導通状態を検出することで、カメラ１の状態を検出することができる。
【０１７２】
なお、本実施形態のカメラ１は、カメラ状態検出部２０と、前述した表示装置１００側の表示状態検出部２１、２２の検出結果に基づいて、カメラ１の状態および表示装置１００の状態を検出することができる。具体的には、表示状態検出部２１、２２とカメラ状態検出部２０を構成する各電気接点からの出力に応じて、状態検出回路８は表示装置１００の状態およびカメラ１の状態を検出することができる。
【０１７３】
カメラ通信部７は、前述した表示装置１００の第１の通信部１１２、第２の通信部１２２と通信可能な通信手段である。本実施形態では、カメラ通信部７と第１の通信部１１２、第２の通信部１２２を介して、カメラマイコン２と第１の表示制御回路１１０および第２の表示制御回路１２０とが互いに通信可能である。
【０１７４】
音声制御回路３０は、スピーカー３１による音声出力を制御する制御手段である。振動制御回路４０は、振動体４１の振動動作を制御する制御手段である。なお、音声制御回路３０、スピーカー３１、振動制御回路４０、振動体４１は表示装置１００に設けられるような構成であってもよい。
【０１７５】
メモリ６０は、電気的に消去や記憶が可能なメモリであり、例えば、フラッシュメモリ等に代表されるＥＥＰＲＯＭ等である。メモリ６０には、本実施形態において使用される種々のデータが格納されている。例えば、カメラ１において実行されるプログラムや動作用の定数、種々の露出条件、カメラ１内の処理で使用する算出式、露出条件を設定するプログラム線図、不図示の発光手段の発光量や発光条件などがメモリ６０に格納されている。なお、カメラ１において実行されるプログラムとは後述する図１３や図１６に示すフローと同様の動作を指示するためのプログラムである。
【０１７６】
また、メモリ６０には、表示装置１００に表示させる表示画像を記録することができ、カメラ１を用いて被写体を撮像することで取得した画像以外に、カメラ１の外部から送信された画像を記録することができる。なお、表示画像の記録とそれ以外のデータ等を格納するメモリとをそれぞれ別々に設けるような構成であってもよい。例えば、表示画像をメモリ６０に記録し、上述した種々のデータをメモリ６０とは別に設けられたＲＯＭ等のメモリに格納しているような構成であってもよい。
【０１７７】
外部入出力回路７０は、不図示の外部ケーブルなどを介して、カメラ１以外の外部機器との通信を制御する通信制御回路である。外部機器から出力された情報はメモリ６０に記録される。以上が本実施形態のカメラ本体１０の内部構成である。
【０１７８】
次に、カメラ１の状態および表示装置１００の状態（各パネルの相対的な配置）を検出する方法について、図１１、図１２を参照して説明する。図１１は、本発明の実施形態に係るカメラ１の状態と表示装置１００の各電気接点同士の位置関係を説明する図である。図１１（ａ）は、表示装置１００が両面状態かつ、表示装置１００がカメラ本体１０の背面に位置していない状態を例示的に説明した図である。図１１（ｂ）は、表示装置１００が両面状態かつ、表示装置１００がカメラ本体１０の背面に位置している状態（以下、標準状態と称す）を例示的に説明した図である。図１１（ｃ）は、表示装置１００が横展開状態かつ、表示装置１００がカメラ本体１０の背面に位置していない状態（以下、横表示状態と称す）を例示的に説明した図である。図１１（ｄ）は、表示装置１００が縦展開状態かつ、表示装置１００がカメラ本体１０の背面に位置していない状態（以下、縦表示状態と称す）を例示的に説明した図である。
【０１７９】
図１１（ａ）に図示するように、本実施形態のカメラ本体１０の背面側であって、表示装置１００が収納される位置の左側面側上端部に電気接点２０ａが設けられている。次に、図１１（ｃ）に図示するように、第１のパネル１０１のＡ面右側面側の上部には電気接点２１ａが設けられている。また、第１のパネル１０１の上面内部の中央付近には電気接点２１ｂが設けられている。さらに、第１のパネル１０１の左側面内部の中央付近には電気接点２１ｃが設けられている。また、第２のパネル１０２の上面内部の中央付近には電気接点２２ｂが設けられている。さらに、第２のパネル１０２の右側面内部の中央付近には電気接点２２ｃが設けられている。
【０１８０】
以上説明した各電気接点は、カメラ１の状態や表示装置１００の各展開状態の何れかにおいて、対応する他の電気接点と隣接し、互いが同通常対となるような位置に設けられている。
【０１８１】
図１１（ｂ）に図示するように、電気接点２０ａは、カメラ１が標準状態の場合に、カメラ１の厚み方向（撮像方向）において第１のパネル１０１の電気接点２１ａと重畳し、電気接点２０ａと電気接点２１ａとが導通状態となる。
【０１８２】
また、図１１（ｃ）に図示するように、電気接点２１ｃは、カメラ１が横表示状態（表示装置１００が横展開状態）の場合に、第２のパネル１０２の電気接点２２ｃと隣接し、電気接点２２ｃと導通状態となる。
【０１８３】
また、図１１（ｄ）に図示するように、電気接点２１ｂは、カメラ１が縦表示状態（表示装置１００が縦展開状態）の場合に、第２のパネル１０２の電気接点２２ｂと隣接し、電気接点２２ａと導通状態となる。
【０１８４】
図１２は、本発明の実施形態に係るカメラ１の状態と各電気接点同士の導通状態を説明する図である。図１２に図示するように、電気接点２０ａと電気接点２１ａとの導通が検出され、その他の電気接点における導通（状態）が検出されない場合、状態検出回路８はカメラ１の状態が標準状態であると検出する。
【０１８５】
また、図１２に図示するように、電気接点２１ｂと電気接点２２ｂとの導通状態が検出され、その他の電気接点における導通状態が検出されない場合、状態検出回路８はカメラ１の状態が横表示状態（表示装置１００の展開状態が横展開状態）であると検出する。
【０１８６】
また、図１２に図示するように、電気接点２１ｃと電気接点２２ｃとの導通状態が検出され、その他の電気接点における導通状態が検出されない場合、状態検出回路８はカメラ１の状態が縦表示状態（表示装置１００の展開状態が縦展開状態）であると検出する。
【０１８７】
次に、カメラ１の状態（表示装置１００の状態（各パネルの相対的な配置））に関する情報をユーザに向けて報知する状態報知処理について、図１３〜図１７を参照して説明する。図１３は、本発明の実施形態に係るカメラ１の状態報知処理について説明するフローチャートである。なお、以下に説明する各処理において取得されるデータ等の情報は、メモリ６０に記録され、カメラマイコン２によって必要に応じて読み出されるものとする。
【０１８８】
また、本実施形態のカメラ１は、状態報知処理と並行して、表示画像を表示装置１００に表示させるような構成である。すなわち、表示画像に重畳させて、後述する状態報知用の画像（以下、報知画像と称す）を表示させるような構成である。
【０１８９】
例えば、撮影モードでは、撮像素子６を用いて周期的に連続して被写体を撮像することで取得された画像を逐次表示（所謂ライブビュー表示）する際に、逐次表示する表示画像に重畳させて報知画像を表示させる。また、再生モードでは、メモリ６０に格納され、ユーザによって再生（表示）が指定された表示画像に重畳させて報知画像を表示装置１００に表示させる。なお、報知画像を表示させる場合に、報知画像以外の画像を表示装置１００に表示させないような構成であってもよい。
【０１９０】
図１３に図示するように、カメラ１の電源スイッチ９がオンされたことに応じて状態報知処理が開始されると、ステップＳ１０１でカメラマイコン２は、状態検出回路８からの出力信号に基づいて、カメラ１の現在の表示モードを判定する。なお、本実施形態のカメラ１は、電源スイッチ９のオン以外に、駆動モードの変更、再生する表示画像の変更、撮影モードにおける表示画像の大きさ変更などに応じて、現在の状態報知処理を終了して次の（新たな）状態報知処理を開始する構成である。この詳細については後述する。
【０１９１】
カメラマイコン２によって、現在表示モードが自動表示モード以外であると判定された場合、情報報知処理を終了する。すなわち、表示モードが横表示モード、縦表示モード、標準表示モードであると判定された場合、カメラマイコン２は情報報知処理を終了する。
【０１９２】
また、カメラマイコン２によって、表示モードが自動表示モードであると判定された場合、ステップＳ１０２でカメラマイコン２は、状態検出回路８の検出結果に基づいて、カメラ１の駆動モードを判定する。
【０１９３】
カメラマイコン２によって、現在の駆動モードが撮影モードであると判定された場合、ステップＳ１１６へ進み、撮影モードにおける状態報知処理を実行する。この詳細については後述する。
【０１９４】
カメラマイコン２によって、現在の駆動モードが再生モードであると判定された場合はステップＳ１０３に進む。ステップＳ１０３でカメラマイコン２は、メモリ６０に記録されている画像データを読み出し、種々の処理を施した状態で表示装置１００に当該画像データに対応した表示画像を表示させる。なお、本実施形態において、ステップＳ１０３の処理において表示させる表示画像は、記録用の画像データとしてメモリ６０に最後に記録された画像データに基づく画像であるが、これ以外の画像データを表示画像として表示させるような構成であってもよい。
【０１９５】
次に、ステップＳ１０４でカメラマイコン（画像判定手段）２は、ステップＳ１０３で表示させた（現在も表示させている）表示画像の大きさを判定する。具体的には、カメラマイコン２は、表示画像の直交する２辺の長さの比率（アスペクト比）を判定する。
【０１９６】
次に、ステップＳ１０５でカメラマイコン（決定手段）２は、ステップＳ１０４で判定した表示画像の大きさに関する情報に基づいて、報知手段により報知させる表示装置１００の状態（以下報知状態と称す）を決定する。また、ステップＳ１０５でカメラマイコン（決定手段）２は、決定された報知状態に基づいて、表示装置１００に表示させる報知画像を決定（生成）する。以下、この詳細について具体的に説明する。
【０１９７】
本実施形態の表示装置１００は、第１のパネル１０１と第２のパネル１０２との相対的な配置を変更させることが可能であって、単一の表示画像を分割して表示させる場合に、表示画像の大きさに応じて各パネル同士の最適な配置は異なる。
【０１９８】
例えば、写真に多用される３：２および１６：９の比率の表示画像と、映画用に多用されるスコープサイズ、パノラマ画像などの比率（例えば、２：１以上の比率）の表示画像では、それぞれの表示画像を最も大きく表示可能な表示装置１００の状態は異なる。
【０１９９】
しかしながら、本実施形態の表示装置１００のように、各パネル同士の相対的な配置を複数の状態へと変更できる場合、表示画像の大きさに応じた各パネル同士の配置をユーザ自身が判断することは困難である。したがって、表示画像に対応した状態へと表示装置１００の状態（各パネル同士の相対的な配置）を変更するのに、ユーザによる煩雑な操作や必要以上に長い操作時間を要してしまう場合がある。
【０２００】
そこで本実施形態では、表示画像の大きさに関する情報に基づいて、表示装置１００の各パネルの相対的な配置に関する情報をユーザに向けて報知することで、上述の問題に対応する。
【０２０１】
図１３に戻り、ステップＳ１０５でカメラマイコン２は、表示画像のアスペクト比が所定の閾値以上であるか否かに応じて、後述する報知手段によって報知させる表示装置１００の状態（報知状態）を決定する。
【０２０２】
なお、報知状態としては、単一の表示画像を分割して表示部１０１ａと表示部１０２ａとにそれぞれ表示させる場合に、当該表示画像を最も大きく表示できる、第１のパネル１０１と第２のパネル１０２の相対的な配置である。
【０２０３】
報知状態の決定後、当該報知状態に関する情報に基づいて、表示画像に重畳して表示させる報知画像を決定（生成）する。なお、本実施形態において、当該報知画像は、第１のパネル１０１と第２のパネル１０２の相対的な配置に関する画像である。この詳細は後述する。
【０２０４】
本実施形態における表示画像のアスペクト比としては、表示画像のそれぞれが直交する辺同士の大きさの比率であって、表示画像の長辺の長さ（大きさ）と短辺の長さ（大きさ）の比率とする。表示画像の長辺の長さをＬ１、短辺の長さをＬ２とすると、表示画像のアスペクト比をＡは以下の式（３）より、
Ａ＝Ｌ１／Ｌ２・・・（３）
となる。
【０２０５】
また、本実施形態では、上述した所定の閾値Ａｓｈ＝２とする。これは、表示装置１００の横展開状態の表示領域のアスペクト比Ａｗ＝３と縦展開状態の表示領域のアスペクト比Ａｈ＝１．３３との略半分の値である。
【０２０６】
そして、表示画像のアスペクト比Ａが所定の閾値Ａｓｈ以上であるか（Ａ≧Ａｓｈ＝２）、所定の閾値Ａｓｈよりも小さいか（Ａ＜Ａｓｈ＝２）であるかに応じて、報知画像にて報知させる各パネル同士の配置に関する情報を変更する。すなわち、本実施形態のカメラ１は、表示画像のアスペクト比が２：１以上の画像であるか否かに応じて、報知画像の報知内容を変更する。
【０２０７】
なお、本実施形態では、所謂パノラマ画像やスコープサイズの画像など、比較的横長な画像に用いられるアスペクト比である２：１を上述した所定の閾値として採用したが、これに限定されるものではなく、その他の値を採用するような構成であってもよい。
【０２０８】
表示画像のアスペクト比Ａ≧２の場合、カメラマイコン２は、表示装置１００の報知状態を横展開状態に決定する。また、表示画像のアスペクト比Ａ＜２の場合、カメラマイコン２は表示装置１００の報知状態を縦展開状態に決定する。
【０２０９】
次に、ステップＳ１０６でカメラマイコン２は、カメラ状態検出部２０、表示状態検出部２２の検出結果に基づく状態検出回路８からの出力信号に基づいて、カメラ１の状態（および表示装置１００の状態）を判定する。なお、ステップＳ１０６で判定可能なカメラ１の状態は、前述した、標準状態、横表示状態、縦表示状態の３つである。
【０２１０】
次に、ステップＳ１０７でカメラマイコン２は、ステップＳ１０６で検出したカメラ１の状態がステップＳ１０５で決定した表示装置１００の報知状態と同一であるか否かを判定する。すなわち、現在の各パネル同士の相対的な配置が、報知画像によって報知する各パネル同士の相対的な配置と同一であるか否かを判定する。
【０２１１】
カメラマイコン２によって、報知状態とカメラ１（または表示装置１００）の状態が同一であると判定された場合（ステップＳ１０７でＹＥＳ）は、現在の状態報知処理を終了する。
【０２１２】
また、カメラマイコン２によって、報知状態とカメラ１の状態が同一ではないと判定された場合（ステップＳ１０７でＮＯ）は、ステップＳ１０８でカメラマイコン（報知手段）２は、ステップＳ１０５で決定した報知画像を表示装置１００に表示させる。具体的に、カメラマイコン２は、表示部１０１ａと表示部１０２ａに、ステップＳ１０５で決定した報知画像を表示させるように、表示装置１００の第１の表示制御回路１１０と第２の表示制御回路１２０を制御する。
【０２１３】
次に、ステップＳ１０９でカメラマイコン２は、タイマーカウントを開始する。なお、このタイマーカウントは、表示装置１００に表示されている現在の報知画像の表示開始後の時間経過を計測するための動作である。
【０２１４】
次に、ステップＳ１１０で、カメラマイコン（報知手段）２は音声制御回路３０を介して、表示装置１００の状態の変更をユーザに促すための音声案内をスピーカー３１から出力させる。この詳細については後述する。
【０２１５】
次に、ステップＳ１１１でカメラマイコン２は、状態検出回路８の検出結果に基づいて、表示装置１００の状態が変更されたか否かを判定する。具体的に、表示装置１００の第１のパネル１０１と第２のパネル１０２の相対的な位置関係が変更されたか否かを判定する。
【０２１６】
カメラマイコン２によって、表示装置１００の状態が変更されていると判定された場合（ステップＳ１１１でＹＥＳ）、ステップＳ１１２でカメラマイコン２は、ステップＳ１０９で開始した現在のタイマーカウントをリセットする。また、表示装置１００の状態が変更されていないと判定された場合（ステップＳ１１１でＮＯ）、ステップＳ１１３でカメラマイコン２は、ステップＳ１０９で開始した現在のタイマーカウントが所定の時間経過したか否かを判定する。
【０２１７】
カメラマイコン２によって所定の時間が経過していないと判定された場合（ステップＳ１１３でＮＯ）、ステップＳ１１１に戻り前述した処理を繰り返す。また、カメラマイコン２によって所定の時間が経過していると判定された場合（ステップＳ１１３でＹＥＳ）、ステップＳ１１４でカメラマイコン２は、ステップＳ１０９で開始した現在のタイマーカウントをリセットする。そして、ステップＳ１１６においてカメラマイコン２は、現在表示中の報知画像の表示を停止し、状態報知処理を終了する。
【０２１８】
報知画像の表示開始から所定の時間が経過しても表示装置１００の状態が変更されていない場合（ステップＳ１１３でＹＥＳ）、ユーザの意図として、表示装置１００の状態変更を望んでいない可能性が高い。そこで、上述したステップＳ１１３において、現在表示中の報知画像の表示開始からの所定の時間が経過していると判定された場合は、報知画像の表示を終了する。この際、表示が終了されるのは報知画像だけであって、表示画像の表示は継続して行われる。
【０２１９】
この構成によって、本実施形態のカメラ１は、ユーザが意図しない報知画像の表示を不必要に表示し続けることを防止することができる。なお、本実施形態では、当該所定の時間を１０秒とするが、それ以外の時間を設定するような構成であってもよい。
【０２２０】
ステップＳ１１２でタイマーカウントをリセットしたら、ステップＳ１１５でカメラマイコン２は、ステップＳ１０７の処理と同様に、ステップＳ１０５で決定した表示装置１００の報知状態と、状態変更後のカメラ１の状態とが同一であるか否かを判定する。
【０２２１】
カメラマイコン２によって、報知状態とカメラ１の状態とが同一ではないと判定された場合（ステップＳ１１５でＮＯ）、ステップＳ１０９に戻り、前述した処理を繰り返す。すなわち、カメラ１の状態が報知状態と同一であると判定されるまで、ステップＳ１０９〜Ｓ１１５の処理を繰り返す。
【０２２２】
また、カメラマイコン２によって、報知画像の表示内容とカメラ１の状態とが同一であると判定された場合（ステップＳ１１５でＹＥＳ）、ステップＳ１１６においてカメラマイコン２は、現在表示中の報知画像の表示を終了し、状態報知処理を終了する。以上が、駆動モードが再生モードである場合の、状態報知処理である。
【０２２３】
なお、前述したように、再生モードにおける状態報知処理では、ユーザの操作などによって再生させる表示画像が変更されたことに応じて、現在の状態報知処理を終了して次の（新たな）状態報知処理が開始される。また、ユーザの操作などによって駆動モードが変更された場合も、現在の状態報知処理を終了して次の（新たな）状態報知処理が開始される。例えば、ユーザによって、カメラ１の駆動モードが再生モードから撮影モードへと変更された場合は、現在の状態報知処理を終了して次の状態報知処理が開始される。
【０２２４】
ここで、上述した報知画像の表示と音声案内の詳細について図１４、１５を参照して説明する。図１４は、本発明の実施形態に係る状態報知処理において、表示装置１００の横展開状態に関する報知画像の表示および音声案内を例示的に説明する図である。図１５は、本発明の実施形態に係る状態報知処理において、表示装置１００の縦展開状態に関する報知画像の表示および音声案内を例示的に説明する図である。すなわち、図１４は、表示画像のアスペクト比Ａが２よりも小さい場合における状態報知処理であって、図１５は、表示画像のアスペクト比Ａが２以上の場合における状態報知処理を例示的に説明した図である。
【０２２５】
なお、図１４および図１５の各図は、カメラ１の状態が標準状態である場合を基準としている。また、図１４（ａ）〜（ｃ）、および図１５（ａ）〜（ｃ）に図示するカメラ１の状態は、それぞれ、図１３のステップＳ１０７〜Ｓ１１５の処理に対応している。
【０２２６】
報知状態とカメラ１の状態とが同一ではない場合は、図１４（ａ）に図示するように、表示装置１００による報知画像の表示と、スピーカー３１による音声案内を開始する。
【０２２７】
本実施形態の報知画像としては、変更前の各パネルの配置が点線で表示され、変更後の各パネルの配置が実線（太線）で表示され画像とする。これと同時に、各パネル同士の配置の変更方向が、変更途中の各パネルの配置が実線（細線）と矢印で表示される。
【０２２８】
また、本実施形態の音声案内としては、「２枚のパネルを左に」のように、表示装置１００を構成する第１のパネル１０１と第２のパネル１０２の相対的な位置の変更に関する情報を出力させる構成である。
【０２２９】
図１４（ｂ）は、図１４（ａ）に図示する報知画像および音声案内に従って、表示装置１００の状態を変更した場合のカメラ１を例示的に説明する図である。図１４（ｂ）に図示するように、表示装置１００の状態が変更されることに応じて、報知画像の表示内容と音声案内の内容が変更される。
【０２３０】
図１４（ｃ）は、図１４（ｂ）に図示する報知画像および音声案内に従って、表示装置１００の状態を変更した場合のカメラ１を例示的に説明する図である。図１４（ｃ）に図示するように、表示装置１００の状態が報知状態と同一であると判定された場合は、報知画像の表示と音声案内を終了する。
【０２３１】
図１４に図示するように、表示装置１００の横展開状態に係る状態報知処理では、カメラ本体１０の背面に位置する表示装置１００を両面表示状態のままカメラ本体１０の右側面方向へと回動させる（図１４（ａ）〜（ｂ））。その後、第１のパネル１０１の短辺（第２の辺）を中心に、第２のパネル１０２の配置を相対的に変更することで、表示装置１００を横展開状態に変更できる（図１４（ｂ）〜（ｃ））。以上説明した動作によって、カメラ１の状態を、標準状態から横表示状態へと変更させることができる。
【０２３２】
なお、報知画像としては、表示装置１００の状態（各パネル同士の相対的な配置）が変更されるごとに、報知画像の表示内容を変更せずに、先に決定した表示装置１００の報知状態のみを表示させるような構成であってもよい。すなわち、表示画像の大きさに応じた表示装置１００の最終的な状態に関わる情報のみを表示させるような構成であってもよい。本実施形態の報知画像としては、少なくとも、各パネル同士の相対的な配置に関する情報をユーザに向けて報知できる画像であればどのようなものであってもよい。
【０２３３】
また、音声案内としては、報知状態と表示装置１００の状態とが同一ではない場合に、アラームなどの電子音をスピーカー３１から出力させるような構成であってもよい。
【０２３４】
なお、本実施形態では、図１４（ｂ）の表示部１０１ａのように、表示部がカメラ１の背面側を向き、配置の変更ができるだけ少ないパネルの表示部に、報知画像を優先的に表示させる構成であるが、これに限定されるものではない。例えば、表示部１０１ａと表示部１０２ａの両方に報知画像を表示させるような構成であってもよいし、何れか一方の表示部のみに報知画像を表示させるような構成であってもよい。
【０２３５】
図１５に図示するように、表示装置１００の縦展開状態に係る状態報知処理では、カメラ本体１０の背面に位置する第１のパネル１０１と第２のパネル１０２を両面表示状態のまま、カメラ本体１０の右側面方向へと回動させる（図１５（ａ）〜（ｂ））。その後、第１のパネル１０１の長辺（第１の辺）を中心に、第２のパネル１０２の配置を変更することで、表示装置１００を縦展開状態に変更できる（図１５（ｂ）〜（ｃ））。以上説明した動作によって、カメラ１の状態を、標準状態から縦表示状態へと変更させることができる。
【０２３６】
以上説明したように、本実施形態のカメラ１は、表示画像の大きさに基づいて決定した報知状態と表示装置１００の状態とが異なる場合に、報知画像の表示および音声案内の出力を行う構成である。また、本実施形態のカメラ１は、表示装置１００の状態変更に応じて、変更後の表示装置１００の状態が決定した報知状態と同一となるまで、随時報知画像の表示および表示内容の更新を行う構成である。
【０２３７】
この構成によって、ユーザは、カメラ１の再生モードにおいて、表示画像の大きさに対応した表示装置１００の状態を容易に知ることができるため、表示装置１００の状態を素早く変更することができる。したがって、それぞれが表示部を備えた複数の筐体同士の相対的な配置を変更できる表示装置の使いやすさを向上させることができる。
【０２３８】
次に、図１６を参照して、カメラ１の駆動モードが撮影モードである場合の状態報知処理について説明する。図１６は、本発明の実施形態に係るカメラ１の撮影モードにおける状態報知処理について説明するフローチャートである。ステップＳ１０２でカメラマイコン２によって、現在の駆動モードが撮影モードであると判定された場合、カメラ１は、撮影モード用の状態報知処理を開始する。
【０２３９】
まず、ステップＳ１１７でカメラマイコン２は、メモリ６０に記録されている画像データを読み出し、当該画像データを表示画像として表示装置１００に表示させる。なお、ステップＳ１１７の処理は前述したステップＳ１０３の処理とは異なり、逐次表示用にメモリ６０に一時的に記録されている画像データを表示画像として表示装置１００に表示させる構成である。当該画像データは、撮像素子６を用いた連続した撮像によって取得された連続した画像データであって、再生モードにおいて表示させる記録用の画像データとは異なる。
【０２４０】
ステップＳ１１８は、前述したステップＳ１０４と同一の処理を行うので説明は省略する。次に、ステップＳ１１９でカメラマイコン２は、姿勢検出部１３の検出結果に基づいて、カメラ１の現在の姿勢を検出する。なお、カメラ本体１０の背面と側面が重力方向と略平行になる姿勢から、撮影光軸を中心とした回動角度が±４５°までの姿勢を、カメラ１の横位置として検出する。そして、カメラ本体１０の背面と側面が重力方向と略平行になる姿勢から、撮影光軸を中心とした回動角度が±４５°よりも大きい姿勢を、カメラ１の縦位置として検出する。
【０２４１】
次に、ステップＳ１２０でカメラマイコン２は、ステップＳ１１８で判定した表示画像の大きさ（アスペクト比）に関する情報と、ステップＳ１１９で検出したカメラ１の姿勢に関する情報に基づいて、表示装置１００の報知状態を決定する。そして、当該報知状態に基づいて報知画像を決定する。
【０２４２】
以下、撮影モードにおける状態報知処理の報知状態の決定方法について、図１７を参照して説明する。図１７は、本発明の実施形態に係るカメラ１の撮影モードにおける報知状態の決定方法を説明する図である。なお、再生モードと同様に、撮影モードにおける所定の閾値をＡｓｈ＝２とする。
【０２４３】
図１７に図示するように、カメラ１の姿勢が横位置であって、表示画像のアスペクト比Ａ≧Ａｓｈである場合、表示装置１００に関わる報知状態を表示装置１００の横展開状態（カメラ１の横表示状態）に決定する。また、カメラ１の姿勢が横位置であって、表示画像のアスペクト比Ａ＜Ａｓｈである場合、表示装置１００に関わる報知状態を表示装置１００の縦展開状態（カメラ１の縦表示状態）に決定する。
【０２４４】
また、図１７に図示するように、カメラ１の姿勢が縦位置であって、表示画像のアスペクト比Ａ≧Ａｓｈである場合、表示装置１００に関わる報知状態を表示装置１００の縦展開状態（カメラ１の縦表示状態）に決定する。さらに、カメラ１の姿勢が縦位置であって、表示画像のアスペクト比Ａ＜Ａｓｈである場合、表示装置１００に関わる報知状態を表示装置１００の横展開状態（カメラ１の横表示状態）に決定する。
【０２４５】
すなわち、表示画像が比較的横長の場合は、カメラ１が横位置のときに報知状態を表示装置１００の横展開状態にし、カメラ１が縦位置のときに報知状態を表示装置１００の縦展開状態にする。また、表示画像が比較的縦長である場合、カメラ１が横位置のときは報知状態を表示装置１００の縦展開状態に決定し、カメラ１が縦位置のときは報知状態を表示装置１００の横展開状態に決定する。
【０２４６】
以降のステップＳ１２１〜Ｓ１３０は、前述したステップＳ１０６〜Ｓ１１６の処理と略同一であるので、説明は省略する。なお、撮影モードでは、前述したように、カメラ１の姿勢変更や表示画像の変更に応じて、現在の状態報知処理を終了し新たな状態報知処理を開始する構成である。
【０２４７】
ここで、前述した再生モードにおける表示画像の変更とは、再生させている表示画像の変更（所謂画像送り動作）である。これに対して、撮影モードにおける表示画像の変更とは、現在逐次表示させている表示画像の大きさの変更である。例えば、撮影モードで取得する画像データのアスペクト比の変更を伴う、カメラ１の設定変更や個々の撮影モードを変更した場合などである。
【０２４８】
以上説明したように、本実施形態のカメラ１は、ユーザは、カメラ１の撮影モードにおいて、表示画像の大きさとカメラ１の姿勢に対応した表示装置１００の状態を容易に知ることができるため、表示装置１００の状態変更を素早く実行することができる。
【０２４９】
以上説明したように、本実施形態のカメラ１は、駆動モードが再生モードおよび撮影モードの双方において、表示画像の大きさに対応した表示装置１００の状態を、ユーザに向けて報知することができる。
【０２５０】
この構成によって、ユーザは、当該報知された表示装置１００の状態に応じて、表示装置１００の状態（またはカメラ１の状態）を素早く変更することができる。すなわち、それぞれが表示部を備えた複数の筐体同士の相対的な配置を変更できる本実施形態の表示装置１００の使いやすさを向上させることができる。
【０２５１】
以上、本発明の好ましい実施形態について説明したが、本発明はこれらに限定されず、その要旨の範囲内で種々の変形及び変更が可能である。例えば、前述した実施形態では表示装置１００をカメラ１の表示手段として適用させた場合について説明したが、これに限定されるものではない。カメラ１以外の他の電子機器に適用させるような構成であってもよいし、表示装置１００単体で前述した実施形態で説明した構成を実行するようなものであってもよい。この場合、上述したカメラマイコン２や状態検出回路８、姿勢検出部１３などと同様の動作を、表示装置１００の第１の表示制御回路１１０や第２の表示制御回路１２０が実行する構成であればよい。
【０２５２】
また、前述した実施形態では、表示装置１００による報知画像の表示と、スピーカー３１による音声案内によって、ユーザに対する表示装置１００の状態に関する情報の報知を行うような構成であったが、これに限定されるものではない。
【０２５３】
例えば、ユーザによる、表示装置１００の各パネル同士の相対的な配置の変更に伴って、カメラ１に設けられた振動体４１を振動させるような構成であってもよい。具体的には、カメラマイコン２によって判定された報知状態と、ユーザによって変更された表示装置１００の状態とが同一ではない場合に、振動制御回路４０の制御により振動体４１を振動させるような構成であってもよい。
【０２５４】
この構成であれば、ユーザによって変更された表示装置１００の状態が、カメラ１によって決定された報知状態と同一であるか否かを、さらに効果的にユーザに知らせることができる。
【０２５５】
また、前述した実施形態では、表示モードが自動表示モードに設定されている場合のみ、状態報知処理を実行するような構成であったが、これに限定されるものではない。例えば、カメラ１の表示モードとして、横表示モードや縦表示モードなどが設定されている場合に、前述した状態報知処理を実行するような構成であってもよい。すなわち、自動表示モード以外の表示モードが設定されている場合であっても、状態報知処理を実行するような構成であってもよい。
【０２５６】
以上説明した表示装置１００の状態を報知する方法以外に、例えば、表示装置１００またはカメラ本体１０にランプなどの発光部を設け、当該発光部の点灯や点滅によって、表示装置１００の状態を報知するような構成であってもよい。
【０２５７】
また、前述した実施形態の表示装置１００では、複数のワイヤーからなる連結手段によって、第１のパネル１０１と第２のパネル１０２とが連結される構成であったが、これに限定されるものではない。例えば、図１８に図示するように、金属材料によって形成された平板形状の連結手段を採用するような構成であってもよい。
【０２５８】
図１８は、本発明の変形例に係る表示装置２００を説明する図であって、図１８（ａ）は横展開状態の表示装置２００の正面図である。また、図１８（ｂ）は横展開状態の表示装置２００の背面図を中心とした三面図である。また、図１８（ｃ）は縦展開状態の表示装置２００の正面図である。さらに、図１８（ｄ）は縦展開状態の表示装置２００の背面図を中心とした三面図である。なお、図１８においても、説明を簡略化するために表示態検出部、カメラ状態検出部が有する各電気接点は不図示とする。
【０２５９】
図１８（ａ）〜（ｄ）に図示するように、表示装置２００は、第１の表示部２０１ａを備えた第１のパネル２０１と、第２の表示部２０２ａを備えた第２のパネル２０２および、各パネルを連結するヒンジ２０３によって形成されている。なお、各パネルとそれぞれの表示部の構成は前述した実施形態と同様なので説明は省略する。以下、前述した実施形態とは異なる構成について説明する。
【０２６０】
ヒンジ２０３は、金属材料によって形成された平板形状の連結手段である。ヒンジ端部２０３ａは、回動軸（第１の軸）Ａ１を中心とした円筒形状であって、第１のパネル２０１の軸２０１ｃと係合して回動可能である。また、ヒンジ端部２０３ｂは、回動軸（第２の軸）Ａ２を中心とした円筒形状であって、第２のパネル２０２の軸２０２ｃと係合して回動可能である。
【０２６１】
ヒンジ２０３は、ヒンジ端部２０３ａが第１のパネル２０１のＢ面の縁部に回動可能に保持され、ヒンジ端部２０３ｂが第２のパネル２０２のＢ面の縁部に回動可能に保持されている。すなわち、ヒンジ２０３は、軸Ａ１と軸Ａ２を中心に、図１８（ｂ）に図示する矢印の方向に向けて回動可能な連結手段である。なお、軸Ａ１と軸Ａ２とは、同じ平面において互いに直交している。
【０２６２】
磁石２０１ｄ、２０２ｄ、２０３ｄは、第１のパネル１０１および第２のパネル１０２のＢ面、ヒンジ２０３の連結領域２０３ｃに設けられた係止手段である。表示装置２００の状態の変化に応じて、磁石２０３ｄと吸着する磁石が変化する。例えば、表示装置２００が横展開状態である場合、磁石２０３ｄと磁石２０１ｄとが吸着し、ヒンジ２０３を第１のパネル２０１に係止する。また、表示装置２００が縦展開状態である場合、磁石２０３ｄと磁石２０２ｄとが吸着し、ヒンジ２０３を第２のパネル２０２に係止する。
【０２６３】
図１８（ａ）、（ｂ）に図示するように、表示装置２００も、表示部２０１ａと表示部２０２ａとが略同一方向を向き、第１のパネル２０１の辺１の延長線上に第２のパネル２０２の辺３が位置する横展開状態へと変更することができる。また、図１８（ｃ）、（ｄ）に図示するように、表示部２０１ａと表示部２０２ａとが略同一方向を向き、表示装置２００も、第１のパネル２０１の辺２の延長線上に第２のパネル２０２の辺４が位置する横展開状態へと変更することができる。
【０２６４】
すなわち、図１８に図示する表示装置２００であっても、前述した実施形態の表示装置１００と同様に、それぞれが表示部を備えた筐体同士の相対的な配置を変更することが可能である。したがって、この表示装置２００に前述した実施形態の構成を適用させた場合、表示画像の大きさに対応した表示装置２００の状態をユーザが容易に知ることができるため、表示装置２００の使いやすさを向上させることができる。
【０２６５】
以上説明したように、本発明に係る表示装置としては、少なくとも、各筐体の相対的な配置を変更することで、表示部同士によって形成される表示領域の形が変化するようなものであればよい。
【符号の説明】
【０２６６】
１  デジタルカメラ
８  カメラマイコン
１００  表示装置
１０１  第１のパネル
１０１ａ  第１の表示部
１０２  第２のパネル
１０２ａ  第２の表示部
１１０  第１の表示制御回路
１２０  第２の表示制御回路
【図１】
2016194606.tif 000003
【図２】
2016194606.tif 000004
【図３】
2016194606.tif 000005
【図４】
2016194606.tif 000006
【図５】
2016194606.tif 000007
【図６】
2016194606.tif 000008
【図７】
2016194606.tif 000009
【図８】
2016194606.tif 000010
【図９】
2016194606.tif 000011
【図１０】
2016194606.tif 000012
【図１１】
2016194606.tif 000013
【図１２】
2016194606.tif 000014
【図１３】
2016194606.tif 000015
【図１４】
2016194606.tif 000016
【図１５】
2016194606.tif 000017
【図１６】
2016194606.tif 000018
【図１７】
2016194606.tif 000019
【図１８】
2016194606.tif 000020